(57)【要約】【課題】  コンテンツを閲覧者に仲介し、閲覧者の個人情報が記述されたアクセス履歴、コンテンツの引用履歴を、コンテンツの作成者に提供できるコンテンツ仲介システムを提供する。【解決手段】  コンテンツ仲介サーバ１０を利用するブログの作成者または閲覧者の個人情報などが、予め、コンテンツ仲介サーバ１０には登録されている。コンテンツ仲介サーバ１０は、更新通知ｐｉｎサーバ２３から更新情報を取得し、更新されたブログコンテンツのリストを作成することで、閲覧者にブログコンテンツを仲介する。閲覧者がブログコンテンツを閲覧／引用した情報は、閲覧者ＰＣ２０からコンテンツ仲介サーバ１０に送信され、コンテンツ仲介サーバ１０は、登録されている情報を用いて、アクセス履歴情報を更新したり、引用履歴情報を更新したりする。そして、コンテンツ仲介サーバ１０は、作成者からの要求を受けて、アクセス履歴情報や引用履歴情報を作成者に提供する。【選択図】      図１
2006285405.tif 000002
【特許請求の範囲】
【請求項１】
インターネット上のＷｅｂサイトで公開されているコンテンツを閲覧する閲覧者の個人情報を予め記憶し、前記個人情報を用いて前記コンテンツのアクセス履歴情報を生成し、生成した前記アクセス履歴情報を前記コンテンツの作成者に配信するコンテンツ仲介サーバと、前記閲覧者が所持する第１の情報端末と、前記作成者が所持する第２の情報端末とを用いたコンテンツ仲介方法であって、
前記コンテンツ仲介方法は、それぞれ独立して実行されるプロセスを含み、このプロセスは、
前記コンテンツを前記閲覧者に仲介し、前記閲覧者が閲覧した前記コンテンツの前記アクセス履歴情報を更新する第１のコンテンツ仲介プロセスと、
前記作成者に、前記作成者が公開している前記コンテンツの前記アクセス履歴情報を、前記第２の情報端末に提供するアクセス履歴提供プロセスであって、
前記第１のコンテンツ仲介プロセスは、
前記コンテンツ仲介サーバもしくは前記第１の情報端末が、インターネット上の前記コンテンツをアグリゲートした情報であるアグリゲーション情報を生成し、生成した前記アグリゲーション情報を、前記閲覧者が有する前記第１の情報端末に提示するステップ、
前記アグリゲーション情報で提示された前記コンテンツの中から、前記閲覧者が閲覧する前記コンテンツを選択するステップ、
前記閲覧者が選択した前記コンテンツが前記第１の情報端末に表示されるとともに、前記閲覧者が閲覧した前記コンテンツを示す情報と閲覧した日時情報とを含む閲覧情報を、前記コンテンツ仲介サーバが前記第１の情報端末から取得するステップ、
前記コンテンツ仲介サーバが、前記閲覧者の個人情報と取得した前記閲覧情報とを用い、前記閲覧者が閲覧した前記コンテンツの前記アクセス履歴情報を更新するステップ、
を順に実行するプロセスであることを特徴とするコンテンツ仲介方法。
【請求項２】
請求項１に記載のコンテンツ仲介方法において、前記第１のコンテンツ仲介プロセスで、前記閲覧者が前記アグリゲーション情報を閲覧するときに、前記コンテンツ仲介サーバは、前記閲覧者を認証し、認証に成功した前記閲覧者に対してのみ、前記アグリゲーション情報の閲覧を許可することを特徴とするコンテンツ仲介方法。
【請求項３】
請求項１または請求項２に記載のコンテンツ仲介方法において、前記第１のコンテンツ仲介プロセスで、前記作成者に前記アクセス履歴情報を提供するときに、前記コンテンツ仲介サーバは、前記作成者を認証し、認証に成功した前記作成者に対してのみ、前記アクセス履歴情報の提供を許可することを特徴とするコンテンツ仲介方法。
【請求項４】
請求項１から請求項３のいずれかに記載のコンテンツ仲介方法において、
前記第１のコンテンツ仲介プロセスで、前記コンテンツ仲介サーバが前記第１の情報端末から取得する前記閲覧情報には、
閲覧した前記コンテンツの前記アクセス履歴情報に前記閲覧者の個人情報を含ませることの可否を示す制御情報が含まれ、前記制御情報が前記閲覧者の個人情報を前記アクセス履歴情報に含ませないことを意味する場合は、
前記第１のコンテンツ仲介プロセスで、前記閲覧された前記コンテンツの前記アクセス履歴情報を生成するときは、認証された前記閲覧者の前記個人情報を用いないことを特徴とするコンテンツ仲介方法。
【請求項５】
請求項１から請求項４のいずれかに記載のコンテンツ仲介方法において、前記コンテンツ仲介方法は、前記閲覧者が前記アグリゲーション情報に含まれる前記コンテンツを引用したことを示す引用実施情報を前記第１の情報端末から取得し、前記コンテンツが引用された履歴を示す引用履歴情報を更新する第２のコンテンツ仲介プロセスと、前記コンテンツの前記引用履歴情報を、前記コンテンツの前記作成者が所持する前記第２の情報端末に提供する引用履歴提供プロセスを含み、
前記第２のコンテンツ仲介プロセスは、
前記コンテンツ仲介サーバもしくは前記第１の情報端末が、インターネット上の前記コンテンツをアグリゲートした情報であるアグリゲーション情報を生成し、生成した前記アグリゲーション情報を、前記閲覧者が有する前記第１の情報端末に提示するステップ、
前記アグリゲーション情報で提示された前記コンテンツの中から前記閲覧者が引用した前記コンテンツを示す情報と、前記コンテンツの引用目的とを含む引用履歴情報を、前記コンテンツ仲介サーバが前記第１の情報端末から取得するステップ、
前記コンテンツ仲介サーバが、前記閲覧者の前記個人情報と取得した前記引用実施情報とを用い、前記閲覧者が引用した前記コンテンツの前記引用履歴情報を更新するステップ、
を順に実行するプロセスであることを特徴とするコンテンツ仲介方法。
【請求項６】
請求項５に記載のコンテンツ仲介方法において、前記第２のコンテンツ仲介プロセスで、前記閲覧者が前記アグリゲーション情報を閲覧するときに、前記コンテンツ仲介サーバは、前記閲覧者を認証し、認証に成功した前記閲覧者に対してのみ、前記アグリゲーション情報の閲覧を許可することを特徴とするコンテンツ仲介方法。
【請求項７】
請求項５または請求項６に記載のコンテンツ仲介方法において、前記第２のコンテンツ仲介プロセスで、前記作成者に前記引用履歴情報を提供するときに、前記コンテンツ仲介サーバは、前記作成者を認証し、認証に成功した前記作成者に対してのみ、前記引用履歴情報に提供することを特徴とするコンテンツ仲介方法。
【請求項８】
請求項５から請求項７のいずれか記載のコンテンツ仲介方法において、前記コンテンツ仲介サーバには、予め、前記作成者の前記コンテンツの利用許諾条件を示す利用許諾情報が記憶され、前記コンテンツ仲介プロセスで、前記コンテンツ仲介サーバが生成する前記アグリゲーション情報には、前記アグリゲーション情報に含まれる前記コンテンツの前記利用許諾情報が示されることを特徴とするコンテンツ仲介方法。
【請求項９】
請求項５から請求項８のいずれかに記載のコンテンツ仲介方法において、前記引用履歴提供プロセスは、前記コンテンツ仲介サーバが、前記引用履歴情報を更新するごとに、更新された前記引用履歴情報の内容を、前記引用履歴情報が更新された前記コンテンツの前記作成者が所持する前記第２の情報端末に配信する前記プロセスであることを特徴とするコンテンツ仲介方法。
【請求項１０】
請求項１から請求項９のいずれかに記載のコンテンツ仲介方法において、予め、前記コンテンツ仲介サーバは、前記作成者が公開している前記コンテンツを認証するための情報であるコンテンツ認証情報を、前記コンテンツ仲介サーバから前記第２の情報端末に送信し、前記アクセス履歴提供プロセスもしくは前記引用履歴提供プロセスでは、前記作成者が公開している前記コンテンツにアクセスし、前記コンテンツ認証情報が前記コンテンツに含まれていた場合のみ、前記コンテンツ仲介サーバが、前記作成者が公開している前記コンテンツの前記アクセス履歴情報もしくは前記引用履歴情報を、前記作成者が有する前記第２の情報端末に配信することを特徴とするコンテンツ仲介方法。
【請求項１１】
請求項１から請求項１０のいずれかに記載のコンテンツ仲介方法において、前記コンテンツ仲介サーバと前記第１の情報端末間で流れる情報、および、前記コンテンツ仲介サーバと前記第２の情報端末間で流れる情報は暗号化されていることを特徴とするコンテンツ仲介方法。
【請求項１２】
インターネット上のＷｅｂサイトで公開されているコンテンツを閲覧する閲覧者の個人情報を予め記憶し、前記個人情報を用いて、前記閲覧者が閲覧した前記コンテンツのアクセス履歴情報を生成し、生成した前記アクセス履歴情報を前記コンテンツの作成者に配信するコンテンツ仲介サーバと、前記閲覧者が所持する第１の情報端末と、前記作成者が所持する第２の情報端末とを用いたコンテンツ仲介システムであって、
前記コンテンツ仲介サーバには、
前記インターネット上の前記コンテンツをアグリゲートした情報であるアグリゲーション情報を生成し、生成した前記アグリゲーション情報を、前記閲覧者が有する前記第１の情報端末に提示し、前記アグリゲーション情報に含まれ、前記閲覧者が閲覧した前記コンテンツを示す情報と閲覧した日時情報とを含む閲覧情報を作成するコンテンツ閲覧エージェントと、
前記コンテンツ閲覧エージェントが取得した前記閲覧情報と前記閲覧者の前記個人情報とを用い、前記閲覧者が閲覧した前記コンテンツの前記アクセス履歴情報を更新する前記アクセス情報更新エージェントと、
前記作成者が公開している前記コンテンツの前記アクセス履歴情報を、前記作成者が有する前記第２の情報端末に配信するアクセス履歴提供エージェントと、
前記コンテンツ仲介サーバが使用する情報を記憶する情報記憶部と、
が備えられていることを特徴するコンテンツ仲介システム。
【請求項１３】
請求項１２に記載のコンテンツ仲介システムにおいて、前記コンテンツ仲介サーバは、
前記閲覧者を認証する閲覧者認証エージェントを備え、
前記コンテンツ閲覧エージェントは、前記閲覧者が前記アグリゲーション情報を閲覧するときに、認証に成功した前記閲覧者に対してのみ、前記アグリゲーション情報の閲覧を許可することを特徴とするコンテンツ仲介システム。
【請求項１４】
請求項１２または請求項１３に記載のコンテンツ仲介システムにおいて、前記作成者を認証する作成者認証エージェントを備え、
前記アクセス履歴提供エージェントは、前記作成者に前記アクセス履歴情報を提供するときに、認証に成功した前記作成者に対してのみ、前記アクセス履歴情報の提供を許可することを特徴とするコンテンツ仲介システム。
【請求項１５】
請求項１２から請求項１４に記載のコンテンツ仲介システムにおいて、前記コンテンツ仲介サーバに備えられた前記コンテンツ閲覧エージェントが、前記第１の情報端末に備えられていることを特徴とするコンテンツ仲介システム。
【請求項１６】
請求項１２または請求項１５に記載のコンテンツ仲介システムにおいて、
前記コンテンツ仲介サーバに備えられた前記コンテンツ閲覧エージェントが、前記第１の情報端末から取得する前記閲覧情報には、前記閲覧者の個人情報を前記アクセス履歴情報に含ませることの可否を示す制御情報が含まれ、前記制御情報が前記閲覧者の個人情報を前記アクセス履歴情報に含ませないことを意味する場合は、
前記アクセス履歴更新エージェントは、前記閲覧情報で特定される前記コンテンツの前記アクセス履歴情報を更新するときに、認証された前記閲覧者の前記個人情報を用いないことを特徴とするコンテンツ仲介システム。
【請求項１７】
請求項１２から請求項１６のいずれかに記載のコンテンツ仲介システムにおいて、
前記コンテンツ仲介サーバに備えられた前記コンテンツ閲覧エージェントは、前記閲覧情報を取得する手段に加え、
前記コンテンツ閲覧エージェントが生成した前記アグリゲーション情報に含まれ、前記閲覧者が引用した前記コンテンツを示す情報と、前記コンテンツの引用目的とを含む引用実施情報を、前記第１の情報端末から取得する手段を有し、
更に、前記コンテンツ仲介サーバは、
前記閲覧者の前記個人情報と取得した前記引用実施情報とを用い、前記閲覧者が引用した前記コンテンツの前記引用履歴情報を更新する前記引用履歴更新エージェントと、
前記作成者が公開している前記コンテンツの前記引用履歴情報を、前記作成者が有する前記第２の情報端末に提供する引用履歴提供エージェントと、が備えられていることを特徴するコンテンツ仲介システム。
【請求項１８】
請求項１７に記載のコンテンツ仲介システムにおいて、前記コンテンツ仲介サーバは、前記閲覧者認証エージェントを備え、
前記コンテンツ閲覧エージェントは、前記閲覧者が前記アグリゲーション情報を閲覧するときに、認証に成功した前記閲覧者に対してのみ、前記アグリゲーション情報の閲覧を許可することを特徴とするコンテンツ仲介システム。
【請求項１９】
請求項１７または請求項１８に記載のコンテンツ仲介システムにおいて、前記コンテンツ仲介サーバは、前記作成者認証エージェントを備え、
前記引用履歴提供エージェントは、前記作成者に前記引用履歴情報を提供するときに、認証に成功した前記作成者に対してのみ、前記引用履歴情報に提供することを特徴とするコンテンツ仲介システム。
【請求項２０】
請求項１７から請求項１９のいずれかに記載のコンテンツ仲介システムにおいて、前記コンテンツ仲介サーバは、予め、前記作成者の前記コンテンツの利用許諾条件を示す利用許諾情報を前記コンテンツ仲介サーバに記憶し、前記コンテンツ閲覧エージェントは、前記コンテンツの前記利用許諾情報を表示する前記アグリゲーション情報を生成することを特徴とするコンテンツ仲介システム。
【請求項２１】
請求項１７から請求項２０に記載のコンテンツ仲介システムにおいて、前記コンテンツ仲介サーバに備えられた前記引用履歴提供エージェントは、前記引用履歴情報更新エージェントが前記引用履歴情報を更新するごとに、前記引用履歴情報が更新された内容を、引用された前記コンテンツの前記作成者が所持する前記第２の情報端末に提供する手段であることを特徴とするコンテンツ仲介システム。
【請求項２２】
請求項１２から請求項２１のいずれかに記載のコンテンツ仲介システムにおいて、
前記コンテンツ仲介サーバは、予め、前記作成者の前記コンテンツを認証するための情報であるコンテンツ認証情報を、前記コンテンツ仲介サーバから前記第２の情報端末に送信する手段を備え、
前記コンテンツ仲介サーバに備えられた前記アクセス履歴提供エージェントもしくは前記引用履歴提供エージェントは、認証された前記作成者が公開している前記コンテンツにアクセスし、前記コンテンツ認証情報が前記コンテンツに含まれていた場合のみ、前記作成者が公開している前記コンテンツの前記アクセス履歴情報もしくは前記引用履歴情報を、前記作成者が有する前記第２の情報端末に配信する手段であることを特徴とするコンテンツ仲介システム。
【請求項２３】
請求項１２から請求項２２のいずれかに記載のコンテンツ仲介システムにおいて、
前記コンテンツはウェブログで公開されているウェブログコンテンツであって、
前記コンテンツ仲介サーバもしくは前記第１の情報端末に備えられた前記コンテンツ閲覧エージェントは、前記ブログコンテンツの更新情報が通知される前記更新通知ｐｉｎｇサーバから取得した情報に基づいて、前記アグリゲーション情報を生成することを特徴とするコンテンツ仲介システム。
【請求項２４】
請求項１２から請求項２３のいずれかに記載のコンテンツ仲介システムにおいて、前記コンテンツ仲介サーバと前記第１の情報端末間で流れる情報、および、前記コンテンツ仲介サーバと前記第２の情報端末間で流れる情報は暗号化され、前記コンテンツ仲介サーバ、前記第１の情報端末および前記第２の情報端末は、送信／受信する情報を、暗号化／復号する手段を備えていることを特徴するコンテンツ仲介システム。
【請求項２５】
請求項１５から請求項２４のいずれかに記載のコンテンツ仲介システムにおいて、前記コンテンツ仲介サーバは、前記作成者が公開している前記コンテンツを特定する情報を含む光学式マーク情報を、前記作成者もしくは前記閲覧者に送信する手段を備え、
前記閲覧者が有する前記第１の情報端末は、前記光学式マーク情報を読み取るリーダライタを備え、
前記第１の情報端末に備えられた前記コンテンツ閲覧エージェントは、前記リーダライタが前記光学式マーク情報を読み取った場合は、前記アグリゲーション情報を生成せずに、前記光学式マーク情報で示される前記コンテンツを表示し、前記閲覧情報を取得することを特徴とするコンテンツ仲介システム。
【請求項２６】
請求項２５に記載のコンテンツ仲介システムにおいて、前記光学式マーク情報は、１次元バーコード情報もしくは２次元バーコード情報であることを特徴とするコンテンツ仲介システム。
【請求項２７】
請求項１２から請求項２６のいずれかに記載のコンテンツ仲介システムを構成するコンテンツ仲介サーバ。
【発明の詳細な説明】
【技術分野】
【０００１】
本発明は、インターネット上のＷｅｂサイトで公開されているコンテンツへの詳細なアクセス状況を収集し、このコンテンツの作成者に詳細なアクセス状況を提供する方法、システム、およびインターネット上で稼動するサーバに関する。
【背景技術】
【０００２】
近年、インターネットは情報公開の場として幅広く利用されている。ホームページなどのＷｅｂサイトで情報を公開すると、個人・企業を問わず、情報を作成した作成者には、自分が公開している情報のアクセス状況を知りたいという要望が生まれる。
【０００３】
例えば、個人が、インターネット上にホームページを開設すると、自分のホームページにどのような人がアクセスしているのか知りたくなるし、企業がインターネット上にホームページを開設すると、企業が開設したホームページにアクセスしたアクセス者を分析し、ダイレクトメールなどを送信するなどして、アクセス者の分析結果を営業活動に展開したくなる。
【０００４】
個人・企業を問わず、ホームページへのアクセス者を分析する技術としては、特許文献１に記載されているように、ホームページへのアクセスログに記憶されるＩＰアドレスから、ホームページのアクセス者を分析する技術が有名である。
【０００５】
しかしながら、ＩＰアドレスを分析することで知り得る情報は、アクセス者が契約しているプロバイダ名や、ホームページにアクセスしてきた経路（例えば、探索サイトの名称）であるとか、アクセス者が使用したブラウザなどの情報であって、作成者が知りたい情報である、アクセス者の年齢や性別などいったアクセス者の個人情報を、ＩＰアドレスを分析するだけでは得ることはできない。
【０００６】
また、個人が簡単にインターネット上で情報を公開できるＷｅｂサイトであるブログ（WebLogの略）においては、ブログへのアクセス者の個人情報を推測できるように、トラックバック機能やコメント入力機能などが設けられている。
【０００７】
トラックバック機能とは、非特許文献１で記述されているように、Ｗｅｂサイト間のピアツゥピアのコミュニケーションを実現するフレームワークで、ブログにて情報を公開している作成者間はこのトラックバック機能を利用することができるが、ブログにて情報を公開していない者はトラックバック機能を利用できない問題がある。また、コメント入力機能は、ブログに対するコメントを送信する機能であって、ブログのアクセス者の個人情報を取得する機能ではない。
【０００８】
一方、インターネット上で公開されている情報を閲覧する閲覧者からすると、公開されている情報を、閲覧者がインターネット上で公開する情報に引用したり、雑誌などの商用目的で引用した場合がある。
【０００９】
インターネット上で公開されている情報を引用するときは、情報を公開している者にメールを送信し承諾を得ることが一般的であるが、公開されている情報に作成者のメールアドレスが記載されていなければメールを送信することはできないし、たとえ、メールアドレスが記載されていたとしても、個人が引用する場合には、見ず知らずの者にメールを送信しにくいといったこともあり、無断で他人が公開している情報を引用し、トラブルが発生するケースが増えている。
【００１０】
また、ブログを閲覧する閲覧者からすると、自分と親しい人が作成しているブログに関しては、トラックバック機能やコメント入力機能以外で、ブログを閲覧した情報を、ブログの作成者に簡易的に通知したい場合もある。
【特許文献１】特開２００３-９１４７７号公報
【非特許文献２】下記ＵＲＬで記述されているドキュメント    （ＵＲＬ）http://www.sixapart.com/movabletype/docs/mtmanual#trackback.html
【発明の開示】
【発明が解決しようとする課題】
【００１１】
そこで、上述した内容を鑑みて、本発明は、インターネット上のＷｅｂサイトで公開しているコンテンツを閲覧者に仲介することで、コンテンツの作成者からすると、自分が公開しているコンテンツにアクセスした閲覧者の細かな個人情報を知ることができ、また、閲覧者からすると、コンテンツを閲覧・引用したことなどを容易に、コンテンツの作成者へ通知することができるコンテンツ仲介システム、コンテンツ仲介方法、および、コンテンツを仲介する機能を備えたコンテンツ仲介サーバを提供することを目的とする。
【課題を解決するための手段】
【００１２】
上述した課題を解決する第１の発明は、インターネット上のＷｅｂサイトで公開されているコンテンツを閲覧する閲覧者の個人情報を予め記憶し、前記個人情報を用いて前記コンテンツのアクセス履歴情報を生成し、生成した前記アクセス履歴情報を前記コンテンツの作成者に配信するコンテンツ仲介サーバと、前記閲覧者が所持する第１の情報端末と、前記作成者が所持する第２の情報端末とを用いたコンテンツ仲介方法であって、前記コンテンツ仲介方法は、それぞれ独立して実行されるプロセスを含み、このプロセスは、前記コンテンツを前記閲覧者に仲介し、前記閲覧者が閲覧した前記コンテンツの前記アクセス履歴情報を更新する第１のコンテンツ仲介プロセスと、前記作成者に、前記作成者が公開している前記コンテンツの前記アクセス履歴情報を、前記第２の情報端末に提供するアクセス履歴提供プロセスであって、前記第１のコンテンツ仲介プロセスは、前記コンテンツ仲介サーバもしくは前記第１の情報端末が、インターネット上の前記コンテンツをアグリゲートした情報であるアグリゲーション情報を生成し、生成した前記アグリゲーション情報を、前記閲覧者が有する前記第１の情報端末に提示するステップ、前記アグリゲーション情報で提示された前記コンテンツの中から、前記閲覧者が閲覧する前記コンテンツを選択するステップ、前記閲覧者が選択した前記コンテンツが前記第１の情報端末に表示されるとともに、前記閲覧者が閲覧した前記コンテンツを特定する情報と閲覧した日時情報とを含む閲覧情報を、前記コンテンツ仲介サーバが前記第１の情報端末から取得するステップ、前記コンテンツ仲介サーバが、前記閲覧者の個人情報と取得した前記閲覧情報とを用い、前記閲覧者が閲覧した前記コンテンツの前記アクセス履歴情報を更新するステップ、を順に実行するプロセスであることを特徴とするコンテンツ仲介方法である。
【００１３】
第１の発明によれば、前記閲覧者の個人情報などの情報を記憶し、前記閲覧者に前記コンテンツを仲介する前記コンテンツ仲介サーバを設けることで、前記コンテンツの作成者からすると、自分が公開している前記コンテンツにアクセスした前記閲覧者の細かな個人情報を知ることができ、また、前記閲覧者からすると、前記コンテンツを閲覧したことを容易に、前記コンテンツの作成者へ通知することができる。なお、第１の発明において、前記情報端末とは、パーソナルコンピュータや携帯電話などを意味している。また、前記コンテンツ特定する情報とは、前記コンテンツのインターネット上の位置を示すＵＲＬ(Uniform Resource Locator)やＵＲＩ(Uniform Resource Identifier)を意味する。
【００１４】
更に、第２の発明は、第１の発明に記載のコンテンツ仲介方法において、前記第１のコンテンツ仲介プロセスで、前記閲覧者が前記アグリゲーション情報を閲覧するときに、前記コンテンツ仲介サーバは、前記閲覧者を認証し、認証に成功した前記閲覧者に対してのみ、前記アグリゲーション情報の閲覧を許可することを特徴とするコンテンツ仲介方法である。
【００１５】
更に、第３の発明は、第１の発明または第２の発明に記載のコンテンツ仲介方法において、前記第１のコンテンツ仲介プロセスで、前記作成者に前記アクセス履歴情報を提供するときに、前記コンテンツ仲介サーバは、前記作成者を認証し、認証に成功した前記作成者に対してのみ、前記アクセス履歴情報の提供を許可することを特徴とするコンテンツ仲介方法である。
【００１６】
第２の発明または第３の発明によれば、前記閲覧者または前記作成者を認証することで、前記閲覧者または前記作成者に成りすます行為を防止することができる。
【００１７】
更に、第４の発明は、第１の発明から第３の発明のいずれかに記載のコンテンツ仲介方法において、前記第１のコンテンツ仲介プロセスで、前記コンテンツ仲介サーバが前記第１の情報端末から取得する前記閲覧情報には、閲覧した前記コンテンツの前記アクセス履歴情報に前記閲覧者の個人情報を含ませることの可否を示す制御情報が含まれ、前記制御情報が前記閲覧者の個人情報を前記アクセス履歴情報に含ませないことを意味する場合は、前記第１のコンテンツ仲介プロセスで、前記閲覧された前記コンテンツの前記アクセス履歴情報を生成するときは、認証された前記閲覧者の前記個人情報を用いないことを特徴とするコンテンツ仲介方法である。
【００１８】
第４の発明によれば、前記閲覧者は前記制御情報を用いて、前記作成者に自分の個人情報を通知／非通知することを選択することができる。
【００１９】
更に、第５の発明は、第１の発明から第４の発明のいずれかに記載のコンテンツ仲介方法において、前記コンテンツ仲介方法は、前記閲覧者が前記アグリゲーション情報に含まれる前記コンテンツを引用したことを示す引用実施情報を前記第１の情報端末から取得し、前記コンテンツが引用された履歴を示す引用履歴情報を更新する第２のコンテンツ仲介プロセスと、前記コンテンツの前記引用履歴情報を、前記コンテンツの前記作成者が所持する前記第２の情報端末に提供する引用履歴提供プロセスを含み、前記第２のコンテンツ仲介プロセスは、前記コンテンツ仲介サーバもしくは前記第１の情報端末が、インターネット上の前記コンテンツをアグリゲートした情報であるアグリゲーション情報を生成し、生成した前記アグリゲーション情報を、前記閲覧者が有する前記第１の情報端末に提示するステップ、前記アグリゲーション情報で提示された前記コンテンツの中から前記閲覧者が引用した前記コンテンツを情報と、前記コンテンツの引用目的とを含む引用履歴情報を、前記コンテンツ仲介サーバが前記第１の情報端末から取得するステップ、前記コンテンツ仲介サーバが、前記閲覧者の前記個人情報と取得した前記引用実施情報とを用い、前記閲覧者が引用した前記コンテンツの前記引用履歴情報を更新するステップ、を順に実行するプロセスであることを特徴とするコンテンツ仲介方法である。
【００２０】
第５の発明によれば、前記コンテンツ仲介サーバが前記コンテンツを前記閲覧者に仲介することで、前記閲覧者は、前記コンテンツを引用したことを、容易に前記作成者へ通知することができる。
【００２１】
更に、第６の発明は、第５の発明に記載のコンテンツ仲介方法において、前記第２のコンテンツ仲介プロセスで、前記閲覧者が前記アグリゲーション情報を閲覧するときに、前記コンテンツ仲介サーバは、前記閲覧者を認証し、認証に成功した前記閲覧者に対してのみ、前記アグリゲーション情報の閲覧を許可することを特徴とするコンテンツ仲介方法である。
【００２２】
更に、第７の発明は、第５の発明または第６の発明に記載のコンテンツ仲介方法において、前記第２のコンテンツ仲介プロセスで、前記作成者に前記引用履歴情報を提供するときに、前記コンテンツ仲介サーバは、前記作成者を認証し、認証に成功した前記作成者に対してのみ、前記引用履歴情報に提供することを特徴とするコンテンツ仲介方法である。
【００２３】
第６の発明または第７の発明によれば、前記閲覧者または前記作成者を認証することで、前記閲覧者または前記作成者に成りすます行為を防止することができる。
【００２４】
更に、第８の発明は、第５の発明から第７の発明のいずれか記載のコンテンツ仲介方法において、前記コンテンツ仲介サーバには、予め、前記作成者の前記コンテンツの利用許諾条件を示す利用許諾情報が記憶され、前記第２のコンテンツ仲介プロセスで、前記コンテンツ仲介サーバが生成する前記アグリゲーション情報には、前記アグリゲーション情報に含まれる前記コンテンツの前記利用許諾情報が示されることを特徴とするコンテンツ仲介方法である。
【００２５】
第８の発明によれば、前記作成者は前記閲覧者に自分の前記コンテンツの利用許諾条件を提示することができる。ここで利用許諾条件とは、クリエイティブ・コモンズのライセンス形態などを意味する。
【００２６】
更に、第９の発明は、第５の発明から第８の発明のいずれかに記載のコンテンツ仲介方法において、前記引用履歴提供プロセスは、前記コンテンツ仲介サーバが、前記引用履歴情報を更新するごとに、更新された前記引用履歴情報の内容を、前記引用履歴情報が更新された前記コンテンツの前記作成者が所持する前記第２の情報端末に配信する前記プロセスであることを特徴とするコンテンツ仲介方法である。
【００２７】
第９の発明によれば、前記コンテンツ仲介サーバは、前記作成者に前記引用履歴情報をＰＵＳＨ型で配信することができる。
【００２８】
更に、第１０の発明は、第１の発明から第９の発明のいずれかに記載のコンテンツ仲介方法において、予め、前記コンテンツ仲介サーバは、前記作成者が公開している前記コンテンツを認証するための情報であるコンテンツ認証情報を、前記コンテンツ仲介サーバから前記第２の情報端末に送信し、前記アクセス履歴提供プロセスもしくは前記引用履歴提供プロセスでは、前記作成者が公開している前記コンテンツにアクセスし、前記コンテンツ認証情報が前記コンテンツに含まれていた場合のみ、前記コンテンツ仲介サーバが、前記作成者が公開している前記コンテンツの前記アクセス履歴情報もしくは前記引用履歴情報を、前記作成者が有する前記第２の情報端末に配信することを特徴とするコンテンツ仲介方法である。
【００２９】
第１０の発明によれば、前記コンテンツ仲介サーバは、前記コンテンツ認証情報を用いて前記コンテンツを認証することで、他人の前記コンテンツの前記作成者になりすますことを防止することができる。
【００３０】
更に、第１１の発明は、第１の発明から第１０の発明のいずれかに記載のコンテンツ仲介方法において、前記コンテンツ仲介サーバと前記第１の情報端末間で流れる情報、および、前記コンテンツ仲介サーバと前記第２の情報端末間で流れる情報は暗号化されていることを特徴とするコンテンツ仲介方法である。
【００３１】
第１１の発明によれば、前記インターネット上から情報（例えば、閲覧者の個人情報）が漏洩することを防止できる。
【００３２】
更に、第１２の発明は、インターネット上のＷｅｂサイトで公開されているコンテンツを閲覧する閲覧者の個人情報を予め記憶し、前記個人情報を用いて、前記閲覧者が閲覧した前記コンテンツのアクセス履歴情報を生成し、生成した前記アクセス履歴情報を前記コンテンツの作成者に配信するコンテンツ仲介サーバと、前記閲覧者が所持する第１の情報端末と、前記作成者が所持する第２の情報端末とを用いたコンテンツ仲介システムであって、前記コンテンツ仲介サーバには、前記インターネット上の前記コンテンツをアグリゲートした情報であるアグリゲーション情報を生成し、生成した前記アグリゲーション情報を、前記閲覧者が有する前記第１の情報端末に提示し、前記アグリゲーション情報に含まれ、前記閲覧者が閲覧した前記コンテンツを示す情報と閲覧した日時情報とを含む閲覧情報を取得するコンテンツ閲覧エージェントと、前記コンテンツ閲覧エージェントが取得した前記閲覧情報と前記閲覧者の前記個人情報とを用い、前記閲覧者が閲覧した前記コンテンツの前記アクセス履歴情報を更新する前記アクセス情報更新エージェントと、前記作成者が公開している前記コンテンツの前記アクセス履歴情報を、前記作成者が有する前記第２の情報端末に配信するアクセス履歴提供エージェントと、前記コンテンツ仲介サーバが使用する情報を記憶する情報記憶部と、が備えられていることを特徴するコンテンツ仲介システムである。
【００３３】
更に、第１３の発明は、第１２の発明に記載のコンテンツ仲介システムにおいて、前記コンテンツ仲介サーバは、前記閲覧者を認証する閲覧者認証エージェントを備え、前記コンテンツ閲覧エージェントは、前記閲覧者が前記アグリゲーション情報を閲覧するときに、認証に成功した前記閲覧者に対してのみ、前記アグリゲーション情報の閲覧を許可することを特徴とするコンテンツ仲介システムである。
【００３４】
更に、第１４の発明は、第１２の発明または第１３の発明に記載のコンテンツ仲介システムにおいて、前記作成者を認証する作成者認証エージェントを備え、前記アクセス履歴提供エージェントは、前記作成者に前記アクセス履歴情報を提供するときに、認証に成功した前記作成者に対してのみ、前記アクセス履歴情報の提供を許可することを特徴とするコンテンツ仲介システムである。
【００３５】
更に、第１５の発明は、第１２の発明から第１４の発明に記載のコンテンツ仲介システムにおいて、前記コンテンツ仲介サーバに備えられた前記コンテンツ閲覧エージェントが、前記第１の情報端末に備えられていることを特徴とするコンテンツ仲介システムである。
【００３６】
更に、第１６の発明は、第１２の発明または第１５の発明に記載のコンテンツ仲介システムにおいて、前記コンテンツ仲介サーバに備えられた前記コンテンツ閲覧エージェントが、前記第１の情報端末から取得する前記閲覧情報には、前記閲覧者の個人情報を前記アクセス履歴情報に含ませることの可否を示す制御情報が含まれ、前記制御情報が前記閲覧者の個人情報を前記アクセス履歴情報に含ませないことを意味する場合は、前記アクセス履歴更新エージェントは、前記閲覧情報で特定される前記コンテンツの前記アクセス履歴情報を更新するときに、認証された前記閲覧者の前記個人情報を用いないことを特徴とするコンテンツ仲介システムである。
【００３７】
更に、第１７の発明は、第１２の発明から第１６の発明のいずれかに記載のコンテンツ仲介システムにおいて、前記コンテンツ仲介サーバに備えられた前記コンテンツ閲覧エージェントは、前記閲覧情報を取得する手段に加え、前記コンテンツ閲覧エージェントが生成した前記アグリゲーション情報に含まれ、前記閲覧者が引用した前記コンテンツを示す情報と、前記コンテンツの引用目的とを含む引用実施情報を、前記第１の情報端末から取得する手段を有し、更に、前記コンテンツ仲介サーバは、前記閲覧者の前記個人情報と取得した前記引用実施情報とを用い、前記閲覧者が引用した前記コンテンツの前記引用履歴情報を更新する前記引用履歴更新エージェントと、前記作成者が公開している前記コンテンツの前記引用履歴情報を、前記作成者が有する前記第２の情報端末に提供する引用履歴提供エージェントと、が備えられていることを特徴するコンテンツ仲介システムである。
【００３８】
更に、第１８の発明は、第１７の発明に記載のコンテンツ仲介システムにおいて、前記コンテンツ仲介サーバは、前記閲覧者認証エージェントを備え、前記コンテンツ閲覧エージェントは、前記閲覧者が前記アグリゲーション情報を閲覧するときに、認証に成功した前記閲覧者に対してのみ、前記アグリゲーション情報の閲覧を許可することを特徴とするコンテンツ仲介システムである。
【００３９】
更に、第１９の発明は、第１７の発明または第１８の発明に記載のコンテンツ仲介システムにおいて、前記コンテンツ仲介サーバは、前記作成者認証エージェントを備え、前記引用履歴提供エージェントは、前記作成者に前記引用履歴情報を提供するときに、認証に成功した前記作成者に対してのみ、前記引用履歴情報に提供することを特徴とするコンテンツ仲介システムである。
【００４０】
更に、第２０の発明は、第１７の発明から第１９の発明のいずれかに記載のコンテンツ仲介システムにおいて、前記コンテンツ仲介サーバは、予め、前記作成者の前記コンテンツの利用許諾条件を示す利用許諾情報を前記コンテンツ仲介サーバに記憶し、前記コンテンツ閲覧エージェントは、前記コンテンツの前記利用許諾情報を表示する前記アグリゲーション情報を生成することを特徴とするコンテンツ仲介システムである。
【００４１】
更に、第２１の発明は、第１７の発明から第２０の発明に記載のコンテンツ仲介システムにおいて、前記コンテンツ仲介サーバに備えられた前記引用履歴提供エージェントは、前記引用履歴情報更新エージェントが前記引用履歴情報を更新するごとに、前記引用履歴情報が更新された内容を、引用された前記コンテンツの前記作成者が所持する前記第２の情報端末に提供する手段であることを特徴とするコンテンツ仲介システムである。
【００４２】
更に、第２２の発明は、第１２の発明から第２１の発明のいずれかに記載のコンテンツ仲介システムにおいて、前記コンテンツ仲介サーバは、予め、前記作成者の前記コンテンツを認証するための情報であるコンテンツ認証情報を、前記コンテンツ仲介サーバから前記第２の情報端末に送信する手段を備え、前記コンテンツ仲介サーバに備えられた前記アクセス履歴提供エージェントもしくは前記引用履歴提供エージェントは、認証された前記作成者が公開している前記コンテンツにアクセスし、前記コンテンツ認証情報が前記コンテンツに含まれていた場合のみ、前記作成者が公開している前記コンテンツの前記アクセス履歴情報もしくは前記引用履歴情報を、前記作成者が有する前記第２の情報端末に配信する手段であることを特徴とするコンテンツ仲介システムである。
【００４３】
更に、第２３の発明は、第１２の発明から第２２の発明のいずれかに記載のコンテンツ仲介システムにおいて、前記コンテンツはウェブログで公開されているウェブログコンテンツであって、前記コンテンツ仲介サーバもしくは前記第１の情報端末に備えられた前記コンテンツ閲覧エージェントは、前記ブログコンテンツの更新情報が通知される前記更新通知ｐｉｎｇサーバから取得した情報に基づいて、前記アグリゲーション情報を生成することを特徴とするコンテンツ仲介システムである。
【００４４】
更に、第２４の発明は、第１２の発明から第２３の発明のいずれかに記載のコンテンツ仲介システムにおいて、前記コンテンツ仲介サーバと前記第１の情報端末間で流れる情報、および、前記コンテンツ仲介サーバと前記第２の情報端末間で流れる情報は暗号化され、前記コンテンツ仲介サーバ、前記第１の情報端末および前記第２の情報端末は、送信／受信する情報を、暗号化／復号する手段を備えていることを特徴するコンテンツ仲介システムである。
【００４５】
更に、第２５の発明は、第１５の発明から第２４の発明のいずれかに記載のコンテンツ仲介システムにおいて、前記コンテンツ仲介サーバは、前記作成者が公開している前記コンテンツを特定する情報を含む光学式マーク情報を、前記作成者もしくは前記閲覧者に送信する手段を備え、前記閲覧者が有する前記第１の情報端末は、前記光学式マーク情報を読み取るリーダライタを備え、前記第１の情報端末に備えられた前記コンテンツ閲覧エージェントは、前記リーダライタが前記光学式マーク情報を読み取った場合は、前記アグリゲーション情報を生成せずに、前記光学式マーク情報で示される前記コンテンツを表示し、前記閲覧情報を取得することを特徴とするコンテンツ仲介システムである。
【００４６】
更に、第２６の発明は、第２５の発明に記載のコンテンツ仲介システムにおいて、前記光学式マーク情報は、１次元バーコード情報もしくは２次元バーコード情報であることを特徴とするコンテンツ仲介システムである。
【００４７】
第２５の発明または第２６の発明によれば、前記コンテンツを前記インターネットとは異なる情報メディア（例えば、紙媒体）で仲介することができる。
【００４８】
更に、第２７の発明は、第１２の発明から第２６の発明のいずれかに記載のコンテンツ仲介システムを構成するコンテンツ仲介サーバである。
【００４９】
なお、本発明は、これまで述べた解決する手段に限定されることなく、解決する手段に記載した範囲内で種々変更・応用が可能である。
【発明の効果】
【００５０】
上述した本発明によれば、インターネット上のＷｅｂサイトで公開しているコンテンツを、閲覧者に仲介することで、コンテンツの作成者からすると、自分が公開しているコンテンツにアクセスした閲覧者の細かな個人情報を知ることができ、また、閲覧者からすると、コンテンツを閲覧・引用したことなどを容易に、コンテンツの作成者へ通知することができるコンテンツ仲介システム、コンテンツ仲介方法、および、コンテンツを仲介する機能を備えたコンテンツ仲介サーバを提供できる。
【発明を実施するための最良の形態】
【００５１】
＜コンテンツ仲介システム＞
ここから、本発明に係るコンテンツ仲介システムについて、図を参照しながら詳細に説明する。図１は、コンテンツ仲介システムのシステム図である。図１で示したコンテンツ仲介システムは、仲介するコンテンツをブログで公開されているコンテンツ（以下、ブログコンテンツ）とし、ブログコンテンツを閲覧者に仲介することで、ブログコンテンツの作成者（以下、ブログ作成者）にブログコンテンツを閲覧した閲覧者の詳細な情報を提供すると共に、閲覧者は、ブログコンテンツを閲覧・引用した情報を容易にブログ作成者に通知できるシステムである。
【００５２】
＜システム構成＞
図１に示したように、コンテンツ仲介システムは、ブログサービスが運用されているＷｅｂサーバであるブログサーバ２２と、ブログサーバ２２が公開しているブログコンテンツの閲覧者が使用する閲覧者パソコン２０（Personal Computer、以下ＰＣ）と、ブログコンテンツを閲覧者に仲介するコンテンツ仲介サーバ１０と、ブログコンテンツを作成するブログ作成者が所持するブログ作成者ＰＣ２１と、ブログ作成者がブログコンテンツを更新したときに更新情報を送信する更新通知ｐｉｎｇサーバ２３とから構成され、上述したサーバおよびＰＣはインターネット９０を介して接続されている。
【００５３】
なお、説明を分かり易くするために、ブログサーバ２２、ブログ作成者ＰＣ２１、閲覧者ＰＣ２０および更新通知ｐｉｎｇサーバ２３は1台のみ記載している。実際のコンテンツ仲介システムにおいては、複数のブログサーバ２２、ブログ作成者ＰＣ２１、閲覧者ＰＣ２０および更新通知ｐｉｎｇサーバ２３がインターネット９０に接続される。
【００５４】
＜システム動作概要＞
図１で示したコンテンツ仲介システムの動作は、大きく分けて、３つのフェーズからなる。一つ目のフェーズは、コンテンツ仲介サーバ１０を利用するユーザ（ブログ作成者と閲覧者）をコンテンツ仲介サーバ１０に登録するユーザ登録フェーズで、二つ目のフェーズは、コンテンツ仲介サーバ１０が閲覧者にブログコンテンツを仲介し、閲覧者がブログコンテンツを閲覧するコンテンツ閲覧フェーズで、そして、三つ目のフェーズは、コンテンツ仲介サーバ１０に登録されているブログ作成者に対して、このブログ作成者が公開しているブログコンテンツのアクセス履歴情報、または、このブログ作成者が公開しているブログコンテンツが引用されたこと示す引用履歴情報を提供する履歴提供フェーズである。
【００５５】
ユーザ登録フェーズにおいては、コンテンツ仲介サーバ１０を利用するブログ作成者と閲覧者が、コンテンツ仲介サーバ１０のユーザとして登録される。閲覧者がコンテンツ仲介サーバ１０に登録されるときは、閲覧者を認証する情報（例えば、閲覧者のＩＤやパスワード）に加えて、閲覧者の個人情報（例えば、氏名、性別や居住地域）などがコンテンツ仲介サーバ１０に登録される。
【００５６】
また、ブログ作成者がコンテンツ仲介サーバ１０に登録されるときは、ブログ作成者を認証する情報（例えば、ブログ作成者のＩＤ、パスワード）に加えて、ブログ作成者が公開しているブログコンテンツを特定する情報（例えば、ブログコンテンツのＵＲＬ）や、ブログコンテンツの利用許諾を示す利用許諾情報などがコンテンツ仲介サーバ１０に登録される。
【００５７】
コンテンツ閲覧フェーズにおいては、コンテンツ仲介サーバ１０は、多数のブログコンテンツの更新情報を記憶している更新通知ｐｉｎｇサーバ２３から、更新されたブログコンテンツの見出し情報を取得しておき、閲覧者からコンテンツ仲介サーバ１０にブログコンテンツの閲覧要求があると、コンテンツ仲介サーバ１０はこの閲覧者を認証した後、閲覧者に、見出し情報から作成したブログコンテンツのリストを提示する。このブログコンテンツのリストには、ブログコンテンツへのパス情報が含まれ、閲覧者は閲覧するブログコンテンツをリストから選択することで、選択したブログコンテンツを閲覧することができる。
【００５８】
そして、閲覧者がブログコンテンツを選択すると、ブログコンテンツが閲覧されたことを示す閲覧情報が、閲覧者ＰＣ２０からコンテンツ仲介サーバ１０に送信される。コンテンツ仲介サーバ１０は、選択されたブログコンテンツのブログ作成者が、コンテンツ仲介サーバ１０に登録されていれば、アクセスされた日時等に加えて、閲覧者の個人情報をそのブログコンテンツのアクセス履歴情報として記憶する。
【００５９】
履歴提供フェーズにおいては、ブログ作成者からコンテンツ仲介サーバ１０にアクセス履歴情報の提供要求があると、コンテンツ仲介サーバ１０はこのブログ作成者を認証した後、このブログ作成者が公開しているブログコンテンツのアクセス履歴情報を提供する。
【００６０】
なお、コンテンツ閲覧フェーズにおいて、コンテンツ仲介サーバ１０に登録された閲覧者は、ブログコンテンツを引用したことを示す引用実施情報を、コンテンツ仲介サーバ１０を介してブログ作成者に通知することもできる。この引用実施情報は、コンテンツ閲覧フェーズェーズにおいて、閲覧者ＰＣ２０からコンテンツ仲介サーバ１０に送信され、コンテンツ仲介サーバ１０に引用履歴情報として記憶される。そして、履歴提供フェーズにおいて、コンテンツ仲介サーバ１０は、引用されたブログコンテンツのブログ作成者に、このブログコンテンツの引用履歴情報を提供する。
【００６１】
なお、引用履歴情報が更新されるごと、すわなち、引用実施情報が閲覧者から送信されるごとに、引用されたブログコンテンツのブログ作成者に、更新された引用履歴情報の内容をメールなどで提供することもできる。
【００６２】
＜コンテンツ仲介サーバ＞
ここから、上述したコンテンツ仲介システムを実現するために必要なサーバで、本発明に係るコンテンツ仲介サーバ１０について図を参照しながら詳細に説明する。図２は、本発明に係るコンテンツ仲介サーバ１０のブロック図である。
【００６３】
図２で示したように、コンテンツ仲介サーバ１０には、上述したユーザ登録フェーズで動作するユーザ登録エージェント１４０と、上述したコンテンツ閲覧フェーズにおいて動作する閲覧者認証エージェント１３０、コンテンツ閲覧エージェント１２０、アクセス履歴更新エージェント１２１および引用履歴更新エージェント１２２と、上述した履歴提供フェーズにおいて動作する作成者認証エージェント１５０、アクセス履歴提供エージェント１６０および引用履歴提供エージェント１７０と、ユーザ（閲覧者およびブログ作成者）に関する情報やアクセス履歴などの情報を記憶する仲介情報管理データベース１９０（Data Base、以下ＤＢ）と、適宜、更新通知ｐｉｎｇサーバ２３から更新情報を収集する更新情報収集エージェント１１０と、更新情報収集エージェント１１０が収集した更新情報を記憶する更新情報記憶部１８０とを備えている。
【００６４】
（更新情報収集エージェントおよび更新情報記憶部）
コンテンツ仲介サーバ１０に備えられた更新情報収集エージェント１１０は、一定期間ごとに更新通知ｐｉｎｇサーバ２３にアクセスし、一定期間内に更新されたブログコンテンツのリストを含み、ＲＳＳ（Rich Site Summary）フォーマットで記述された更新情報を取得し、取得した更新情報を更新情報記憶部１８０に記憶する。更新情報記憶部１８０に記憶された更新情報は、コンテンツ閲覧エージェント１２０がブログコンテンツを閲覧者に仲介するときに利用される。
【００６５】
（仲介情報管理データベース）
コンテンツ仲介サーバ１０に備えられた仲介情報管理ＤＢ１９０は、ユーザ登録エージェント１４０などによって操作される情報が記憶されるデータベースで、閲覧者に関する情報を記憶する閲覧者テーブル１９１と、ブログ作成者に関する情報を記憶するブログ作成者テーブル１９２と、アクセス履歴情報を記憶するアクセス履歴テーブル１９３と、引用履歴情報を記憶する引用履歴テーブル１９４とを備えている。
【００６６】
図３（ａ）、（ｂ）、（ｃ）および（ｄ）は、仲介情報管理ＤＢ１９０が有する各テーブルを説明する図である。図３（ａ）は閲覧者テーブル１９１を説明する図で、後述するユーザ登録エージェント１４０が取得する閲覧者に関する情報、すなわち、閲覧者を識別する情報である閲覧者ＩＤや、閲覧者を認証する情報である閲覧者のパスワードや、閲覧者の個人情報として氏名、性別、年齢、居住地趣味および閲覧者の連絡先などが閲覧者テーブル１９１に記憶される。
【００６７】
図３（ｂ）はブログ作成者テーブル１９２を説明する図で、ブログ作成者テーブル１９２には、後述するユーザ登録エージェント１４０が取得また生成した情報として、ブログ作成者を識別する情報であるブログ作成者ＩＤや、ブログ作成者を認証する情報であるブログ作成者のパスワードや、ブログ作成者のブログコンテンツを特定する情報としてブログコンテンツのＵＲＬや、ブログコンテンツを認証するための情報で、ユーザ登録エージェーンが生成するコンテンツ認証情報や、ブログ作成者の個人情報や、ブログ作成者がブログコンテンツに設定した利用許諾情報および作成者の連絡先が記憶される。
【００６８】
図３（ｃ）はアクセス履歴テーブル１９３を説明する図で、このアクセス履歴テーブル１９３は、ブログコンテンツごとに生成されるテーブルで、このテーブルには、ブログコンテンツのアクセス履歴情報として、ブログコンテンツへのアクセス日時、ブログコンテンツを閲覧した閲覧者の個人情報が記憶される。
【００６９】
図３（ｄ）は引用履歴テーブル１９４を説明する図で、この引用履歴テーブル１９４は、ブログコンテンツごとに生成されるテーブルで、このテーブルには、ブログコンテンツの引用履歴情報として、引用された日時、引用目的、引用形態などが記憶される。
【００７０】
（ユーザ登録エージェント）
コンテンツ仲介サーバ１０に備えられたユーザ登録エージェント１４０とは、ユーザ（閲覧者またはブログ作成者）の要求を受けて動作し、コンテンツ仲介サーバ１０にユーザ（閲覧者またはブログ作成者）を登録する機能を有したサーバソフトウェアで、閲覧者ＰＣ２０およびブログ作成者ＰＣ２１にインストールされたブラウザで操作される。
【００７１】
本実施の形態においては、ユーザ登録エージェント１４０は、ユーザが登録情報を入力するＷｅｂページであるユーザ登録ページを有している。ユーザ登録エージェント１４０は、ユーザから閲覧者として登録する要求を受けると、閲覧者を登録するユーザ登録ページをユーザのＰＣに送信する。このユーザ登録ページには、閲覧者を識別・認証する情報（ここでは、閲覧者ＩＤ、パスワード）と閲覧者の個人情報（氏名、性別など）の入力欄が設けられている。
【００７２】
閲覧者がユーザ登録ページに入力した情報は、ユーザのＰＣからコンテンツ仲介サーバ１０に送信される。そして、ユーザ登録エージェント１４０がこれらの情報を受信すると、ユーザ登録エージェント１４０は仲介情報管理ＤＢ１９０の閲覧者テーブル１９１に新規行を作成し、受信したこれらの情報を閲覧者テーブル１９１の新規行に記憶する。
【００７３】
また、ユーザ登録エージェント１４０は、ユーザからブログ作成者として登録する要求を受けると、ブログ作成者を登録するユーザ登録ページをユーザのＰＣに送信する。このユーザ登録ページには、閲覧者の時と同じく、ブログ作成者を識別・認証する情報（作成者ＩＤとパスワード）、ブログ作成者の個人情報の入力欄に加え、ユーザのブログコンテンツのＵＲＬと、ブログコンテンツの利用許諾情報（例えば、クリエイティブ・コモンズのライセンス形態）の入力欄が設けられている。
【００７４】
ブログ作成者がユーザ登録ページに入力した情報は、ブログ作成者ＰＣ２１からコンテンツ仲介サーバ１０に送信される。そして、ユーザ登録エージェント１４０がこれらの情報を受信すると、ユーザ登録エージェント１４０は仲介情報管理ＤＢ１９０のブログ作成者テーブル１９２に新規行を作成し、受信したこれらの情報をブログ作成者テーブル１９２の新規行に記憶すると共に、登録されたブログコンテンツ用のアクセス履歴テーブル１９３および引用履歴テーブル１９４を新規に作成する。
【００７５】
また、ユーザ登録エージェント１４０は、新規にブログ作成者を登録すると、ブログ作成者のブログコンテンツを認証するための情報であるコンテンツ認証情報を生成し、ブログ作成者として登録したユーザのＰＣにメールなどの手段で送信した後、生成したコンテンツ認証情報を仲介情報管理ＤＢ１９０のブログ作成者テーブル１９２に記憶する。
【００７６】
コンテンツ仲介サーバ１０からコンテンツ認証情報を受信したブログ作成者は、ブログ作成者ＰＣ２１を用いてブログサーバ２２にアクセスし、受信したコンテンツ認証情報を、自分のブログコンテンツのヘッダに記述する。このコンテンツ認証情報は、コンテンツ仲介サーバ１０がブログ作成者のブログコンテンツを認証するときに使用される。
【００７７】
図４および図５は、ユーザ登録エージェント１４０が有するユーザ登録ページの一例である。ユーザ（閲覧者またはブログ作成者）から登録要求がコンテンツ仲介サーバ１０にあると、ユーザ登録エージェント１４０が動作し、登録を要求したユーザのＰＣに、図４のＷｅｂページ３０を送信する。登録を希望するユーザは、Ｗｅｂページ３０のチェックボックス３０ａをチェックすることで、閲覧者として登録するか、もしくはブログ作成者として登録するかを選択する。
【００７８】
ユーザ登録エージェント１４０は、図４のＷｅｂページ３０で閲覧者が選択され、送信ボタン３０ｂがクリックされた場合は、閲覧者登録用のユーザ登録ページをユーザのＰＣに送信し、ブログ作成者が選択され、送信ボタン３０ｂがクリックされた場合は、ブログ作成者用のユーザ登録ページをユーザのＰＣに送信する。
【００７９】
図５（ａ）は、ユーザ登録エージェント１４０が閲覧者として登録希望するユーザに送信するユーザ登録ページの一例である。図５（ａ）に示したように、図５（ａ）のユーザ登録ページ３１には、閲覧者として登録するために必要な情報が入力される複数の入力欄が設けられ、ユーザがこれらの入力欄に情報を入力した後、登録ボタン３１ａをクリックすると、入力欄に入力した情報はコンテンツ仲介サーバ１０に送信され、ユーザ登録エージェント１４０が仲介情報管理ＤＢ１９０の閲覧者テーブル１９１に受信した情報を記憶することで、ユーザは閲覧者として登録される。
【００８０】
図５（ｂ）は、ユーザ登録エージェント１４０がブログ作成者として登録希望するユーザに送信するユーザ登録ページの一例である。図５（ｂ）に示したように、図５（ｂ）のユーザ登録ページ３２には、ブログ作成者として登録するために必要な情報が入力される複数の入力欄が設けられ、上述したように、登録ボタン３２ａをクリックすると、図５（ｂ）のユーザ登録ページに入力された情報は、コンテンツ仲介サーバ１０に送信され、ユーザ登録エージェント１４０が仲介情報管理ＤＢ１９０のブログ作成者テーブル１９２に受信した情報を記憶することで、ユーザはブログ作成者として登録される。
【００８１】
（閲覧者認証エージェント）
コンテンツ仲介サーバ１０に備えられた閲覧者認証エージェント１３０とは、閲覧者からの要求を受けて動作し、閲覧者を認証する機能を備えたサーバソフトウェアで、閲覧者ＰＣ２０のブラウザで操作される。
【００８２】
閲覧者エージェントは、閲覧者からコンテンツ仲介サーバ１０に、閲覧者認証の要求があると、閲覧者認証エージェント１３０は要求をした閲覧者を認証する。閲覧者の認証には、ユーザ登録エージェント１４０が仲介情報管理ＤＢ１９０の閲覧者テーブル１９１に記憶した閲覧者ＩＤと閲覧者のパスワードが利用される。
【００８３】
閲覧者認証エージェント１３０は、閲覧者が閲覧者ＰＣ２０に入力した閲覧者ＩＤおよび閲覧者のパスワードと、仲介情報管理ＤＢ１９０に記憶された閲覧者ＩＤおよび閲覧者のパスワードとを照合し、照合に成功すると、コンテンツ仲介サーバ１０にアクセスした閲覧者は間違いなく入力された閲覧者ＩＤで特定される閲覧者と判断する。
【００８４】
閲覧者認証エージェント１３０は、閲覧者の認証に成功すると、認証に成功した閲覧者の閲覧者ＩＤと、認証に成功した閲覧者が使用している閲覧者ＰＣ２０のＩＰアドレスなどの情報を、閲覧者の認証に成功した情報として、一時的に記憶する。閲覧者の認証に成功した情報は、閲覧者ＰＣ２０との通信が切断されるまで保持される。
【００８５】
（コンテンツ閲覧エージェント、アクセス履歴更新エージェント、引用履歴更新エージェント）
コンテンツ仲介サーバ１０に備えられたコンテンツ閲覧エージェント１２０とは、閲覧者からの要求を受けて動作し、閲覧者にインターネット９０上で公開されているブログコンテンツのリストを提示する機能、閲覧者がブログコンテンツを閲覧したことを示す閲覧情報／引用したことを示す引用実施情報を取得する機能などを備えたサーバソフトウェアで、閲覧者ＰＣ２０のブラウザで操作される。
【００８６】
コンテンツ仲介サーバ１０に備えられたアクセス履歴更新エージェント１２１（もしくは引用履歴更新エージェント１２２）は、コンテンツ閲覧エージェント１２０が取得した閲覧情報（引用履歴更新エージェント１２２の場合は引用実施情報）に基づいて、アクセス履歴情報（引用履歴更新エージェント１２２の場合は引用履歴情報）を更新する機能を備えたサーバソフトウェアである。
【００８７】
コンテンツ閲覧エージェント１２０は、閲覧者からコンテンツ仲介サーバ１０にブログコンテンツの閲覧要求があると、コンテンツ閲覧エージェント１２０は、上述した閲覧者認証エージェント１３０が閲覧要求をした閲覧者を認証していることを確認する。
【００８８】
そして、閲覧者の認証に成功していれば、コンテンツ閲覧エージェント１２０は、更新情報記憶部１８０に記憶された更新情報から、ブログコンテンツのリストを含むＷｅｂページ（以下、ブログ一覧ページ）を、ブログコンテンツのアグリゲーション情報として生成し、ブログ一覧ページを閲覧者ＰＣ２０に送信する。
【００８９】
このブログ一覧ページには、更新情報に含まれるブログコンテンツのタイトルやブログ作者名などを記述したリストが含まれ、このリストに含まれるタイトルには、ハイパーテキストの形式でブログコンテンツのＵＲＬがリンク先として埋め込まれている。閲覧者は、閲覧者ＰＣ２０のブラウザを操作し、ブログコンテンツのタイトルを選択することで、選択したブログコンテンツを閲覧することができる。
【００９０】
更に、このブログ一覧ページにおいては、コンテンツ仲介サーバ１０に登録しているブログ作成者のブログコンテンツを示す情報およびこのブログコンテンツに設定されている利用許諾情報（例えば、クリエイティブ・コモンズのライセンス形態）が表示される。閲覧者は、ブログ一覧ページを参照することで、コンテンツ仲介サーバ１０に登録されているブログ作成者のブログコンテンツ、このブログコンテンツの利用許諾情報を閲覧できる。
【００９１】
また、コンテンツ閲覧エージェント１２０は、上述したブログ一覧ページに加えて、閲覧者が、ブログ作成者に対して自分の個人情報を通知する／しないを設定する制御情報を入力できるＷｅｂページ（以下、制御情報入力ページ）を有している。この制御情報入力ページは、制御情報を入力する専用Ｗｅｂページであってもよく、前述したブログ一覧ページに制御情報入力ページを含ませても構わない。
【００９２】
加えて、コンテンツ閲覧エージェント１２０は、閲覧者が、ブログ作成者のコンテンツを引用したことを示す引用実施情報を、閲覧者が入力するＷｅｂページ（以下、引用実施情報入力ページ）も備えている。引用実施情報入力ページは、前述したブログ一覧ページに含まれていてもよく、引用実施情報を入力する専用Ｗｅｂページであっても構わない。
【００９３】
ブログ一覧ページでブログコンテンツのタイトルが選択されると、コンテンツ閲覧エージェント１２０は制御情報入力ページを表示し、閲覧者は制御情報を設定する。コンテンツ閲覧エージェント１２０は、制御情報が設定された後、ブログコンテンツの作成者、ブログコンテンツのＵＲＬ、ブログコンテンツのタイトル、閲覧した日時などの情報と、制御情報入力ページで設定された制御情報とを、ブログコンテンツの閲覧情報として閲覧者ＰＣ２０から取得し、閲覧者ＰＣ２０のブラウザには、選択されたブログコンテンツが表示される。
【００９４】
そして、アクセス履歴更新エージェント１２１は、仲介情報管理ＤＢ１９０のブログ作成者テーブル１９２に記憶している情報を参照し、取得した閲覧情報で示されるブログコンテンツが、ブログ作成者テーブル１９２に登録されているブログ作成者のブログコンテンツであり、かつ、制御情報が閲覧者の個人情報を通知する情報であれば、閲覧者が閲覧したブログコンテンツのアクセス履歴情報として、閲覧情報と閲覧者の個人情報とを用い、仲介情報管理ＤＢ１９０のアクセス履歴テーブル１９３を更新する。なお、制御情報が閲覧者の個人情報を通知しない情報であれば、アクセス履歴テーブル１９３を更新するときに、アクセス履歴更新エージェント１２１は閲覧者の個人情報を用いない。
【００９５】
また、引用履歴更新エージェント１２２は、引用実施情報入力ページから引用実施情報が送信されると、引用履歴情報と引用した閲覧者の個人情報を参照し、閲覧者が引用したブログコンテンツの引用履歴テーブル１９４を更新する。
【００９６】
図６は、コンテンツ閲覧エージェント１２０が有するブログ一覧ページの一例、そして、図７はコンテンツ閲覧エージェント１２０が有する制御情報入力ページの一例、図８は引用実施情報入力ページの一例である。
【００９７】
図６は、コンテンツ閲覧エージェント１２０が閲覧者ＰＣ２０に送信するブログ一覧ページの一例である。図６に示したように、このブログ一覧ページ３３の左側には閲覧者が、閲覧者ＩＤとパスワードを入力する入力欄３３ａが設けられ、この入力欄３３ａに入力された情報を用いて閲覧者の認証に成功すると、図７の右側で示したブログコンテンツのリスト３３ｂが表示される。なお、入力欄３３ａの下の登録ボタン３３ｃをクリックすると、図４のＷｅｂページ３０が表示される。
【００９８】
図６で示したブログコンテンツのリスト３３ｂには、ブログコンテンツのタイトル３３ｄが、このブログコンテンツのリンク先を埋め込んだハイパーテキスト形式で記述されている。また、このタイトル３３ｄで示されるブログコンテンツが、コンテンツ仲介サーバ１０に登録されているブログ作成者のブログコンテンツのときは、ブログコンテンツが登録されていることを示す情報３３ｅや、このブログコンテンツの利用許諾情報３３ｆが表示される。
【００９９】
図６のブログコンテンツのリスト３３ｂに含まれるタイトル３３ｄを閲覧者が選択すると、図７の制御情報入力ページ３４が表示される。この図７の制御情報入力ページ３４においては、閲覧者は、通知ボタン３３ａ／非通知ボタン３３ｂを用いて、ブログ作成者に個人情報を通知するか否かを選択することができる。
【０１００】
そして、図７の制御情報入力ページ３４の通知ボタン３３ａもしくは非通知ボタン３３ｂがクリックされると、ブログサーバ２２に記憶され、ブログタイトルで示されるブログコンテンツが表示され、コンテンツ閲覧エージェント１２０は、ブログコンテンツの閲覧情報を取得し、アクセス履歴更新エージェント１２１は、閲覧日時、閲覧者の個人情報などを仲介情報管理ＤＢ１９０のアクセス履歴テーブル１９３は追記する。
【０１０１】
また、図６のブログ一覧ページ３３の引用情報ボタン３３ｇをクリックすると、選択したブログコンテンツの引用実施情報を入力する図８の引用実施情報入力ページ３５が表示される。図８の引用実施情報入力ページ３５においては、商用、報道、研究その他の引用目的が選択される欄３５ａと、リンク先として引用、更新情報の要約文を引用、本文を引用などの引用形態が選択される欄３５ｂが設けられている。
【０１０２】
そして、図８の送信ボタン３５ｃがクリックされることで、コンテンツ閲覧エージェント１２０は閲覧者がブログコンテンツを引用した引用実施情報を取得し、引用履歴エージェントは閲覧者がブログコンテンツを引用した日時、引用目的、引用形態、閲覧者の連絡先などの情報を、仲介情報管理ＤＢ１９０の引用履歴テーブル１９４に追記する。
【０１０３】
（作成者認証エージェント）
コンテンツ仲介サーバ１０に備えられた作成者認証エージェント１５０とは、ブログ作成者の要求を受けて動作し、要求したブログ作成者を認証する機能を有したサーバソフトウェアで、ブログ作成者ＰＣ２１にインストールされたブラウザで操作される。
【０１０４】
本実施の形態においては、作成者認証エージェント１５０は、ブログ作成者を認証する情報を入力するＷｅｂページ（例えば、図６の入力欄３３ａ）を有する。ブログ作成者からコンテンツ仲介サーバ１０にアクセス履歴の配信を要求するアクセスがあると、作成者認証エージェント１５０はアクセスしたブログ作成者を認証する。
【０１０５】
作成者認証エージェント１５０は、アクセスしたブログ作成者を認証するために、ブログ作成者ＰＣ２１から、ブログ作成者のブログ作成者ＩＤとブログ作成者のパスワードとを取得する。そして、作成者認証エージェント１５０は、仲介情報管理ＤＢ１９０のブログ作成者テーブル１９２に記憶されたブログ作成者ＩＤおよびブログ作成者のパスワードと、取得したブログ作成者ＩＤおよびブログ作成者のパスワードとを照合する。
【０１０６】
作成者認証エージェント１５０は、ブログ作成者の認証に成功すると、認証に成功したブログ作成者ＩＤと、認証に成功したブログ作成者が使用しているブログ作成者ＰＣ２１のＩＰアドレスなどの情報を、ブログ作成者の認証に成功した情報として、一時的に記憶する。ブログ作成者の認証に成功した情報は、ブログ作成者ＰＣ２１との通信が切断されるまで保持される。
【０１０７】
（アクセス履歴提供エージェント、引用履歴提供エージェント）
コンテンツ仲介サーバ１０に備えられたアクセス履歴提供エージェント１６０（もしくは引用履歴提供エージェント１７０）とは、ブログ作成者の要求を受けて動作し、ブログ作成者のブログコンテンツのアクセス履歴情報（引用履歴提供エージェント１７０の場合は引用履歴情報）を提供する機能などを有したサーバソフトウェアで、ブログ作成者ＰＣ２１にインストールされたブラウザで操作される。
【０１０８】
本実施の形態においては、アクセス履歴提供エージェント１６０は、ブログ作成者からコンテンツ仲介サーバ１０にアクセス履歴の配信を要求するアクセスがあると、アクセス履歴提供エージェント１６０は、上述した作成者認証エージェント１５０とを用いて、アクセスしたブログ作成者が認証されていることを確認する。
【０１０９】
ブログ作成者の認証に成功していれば、アクセス履歴提供エージェント１６０は、認証されたブログ作成者のブログコンテンツを認証する。ブログ作成者のブログコンテンツをアクセス履歴提供エージェント１６０が認証するのは、ブログ作成者の成りすましにより、不正に他人のブログコンテンツのアクセス履歴情報を取得することを防ぐためである。本実施の形態においては、ブログコンテンツの認証には、ユーザ登録エージェント１４０が生成し、ブログ作成者に送信したコンテンツ認証情報が使用される。
【０１１０】
ブログコンテンツを作成・更新できるのはブログ作成者のみであるため、コンテンツ認証情報がブログコンテンツのヘッダ情報などに記述されていれば、アクセス履歴情報を送信するブログ作成者は間違いなく、ブログコンテンツの作成者であると認証できる。
【０１１１】
そして、アクセス履歴提供エージェント１６０（もしくは引用履歴提供エージェント１７０）は、ブログ作成者及びブログコンテンツの認証に成功すると、ブログ作成者の要求（例えば、期間指定など）に従い、仲介情報管理ＤＢ１９０のアクセス履歴テーブル１９３（引用履歴提供エージェント１７０の場合は引用履歴テーブル１９４）に記憶されたアクセス履歴情報をブログ作成者に提供する。
【０１１２】
なお、引用履歴情報に関しては、これまで述べたＰＵＬＬ型ではなく、引用履歴提供エージェント１７０は、ＰＵＳＨ型で配信してもよい。すなわち、引用履歴テーブル１９４が更新されるごとに、メールなどの手段で、引用されたブログコンテンツのブログ作成者に、引用履歴テーブル１９４に追加された引用履歴情報を配信することもできる。
【０１１３】
図９は、コンテンツ仲介サーバ１０からブログ作成者ＰＣ２１に提供されるアクセス履歴情報および引用履歴情報を説明する図である。図９（ａ）はアクセス履歴情報の一例を示した図で、図９（ａ）に示したように、コンテンツ仲介サーバ１０からブログ作成者ＰＣ２１に提供されるアクセス履歴情報は、アクセス履歴テーブル１９３に記憶されたアクセス履歴情報そのものでなくともよく、加工された情報であっても構わない。図９（ａ）においては、閲覧者のアクセス回数のランキング４０ａと、閲覧者の個人情報の傾向４０ｂ（ここでは年齢）を、アクセス履歴情報を加工した情報として記載している。また、アクセスログ４０ｃは、アクセス履歴情報をブログ作成者が見易いように加工されて提供される。
【０１１４】
図９（ｂ）は、コンテンツ仲介サーバ１０からブログ作成者ＰＣ２１に提供される引用履歴情報の一例で、図９（ｂ）に示したように、引用履歴テーブル１９４に記憶された引用履歴情報は、ブログ作成者が見易く加工されて提供される。
【０１１５】
＜コンテンツ仲介方法＞
ここから、上述したコンテンツ仲介システムを参照しながら、本発明係るコンテンツ仲介方法の手順について詳細に説明する。図１０は、コンテンツ仲介方法を説明する図である。図１０に示したように、コンテンツ仲介方法５０は、３つの独立したプロセスからなり、それぞれのプロセスは、必ずしもシーケンス的に動作するプロセスではない。
【０１１６】
コンテンツ仲介方法５０に含まれる一つ目のプロセスは、コンテンツ仲介サーバ１０を利用するユーザ（コンテンツの作成者と閲覧者）を登録するユーザ登録プロセス５１で、二つ目のプロセスは、コンテンツを閲覧者に仲介するコンテンツ仲介プロセス５２で、そして、三つ目のプロセスは、作成者に対して、作成者のコンテンツのアクセス履歴情報や引用履歴情報を提供する履歴情報提供プロセス５３である。以下、それぞれのプロセスについて詳細に説明する。なお、図１０は、コンテンツ仲介方法に含まれる各プロセスを説明するためだけの図で、これ以降は、コンテンツ仲介方法及び各プロセスには符号を付加しない。
【０１１７】
図１１は、ユーザ登録プロセスの手順を示したフロー図である。このユーザ登録プロセスでは、作成者もしくは閲覧者に関する情報（認証に必要な情報や個人情報など）を、コンテンツ仲介サーバ１０が取得し記憶するプロセスである。このプロセスの最初のステップＳ１０は、作成者もしくは閲覧者に関する情報をコンテンツ仲介サーバ１０が取得するステップである。
【０１１８】
上述したコンテンツ仲介システムにおいては、コンテンツ仲介サーバ１０のユーザ登録エージェント１４０が取得する閲覧者に関する情報として、閲覧者ＩＤやパスワードといった閲覧者の認証に使用される情報と、性別や年齢といった閲覧者の個人情報を取得する。また、コンテンツ仲介サーバ１０が取得する作成者（ブログ作成者）に関する情報としては、作成者ＩＤやパスワードといった作成者の認証に使用される情報と、作成者のコンテンツ（ブログコンテンツ）を特定する情報（例えば、ＵＲＬ）と、作成者の個人情報、コンテンツの利用許諾情報などを取得する。
【０１１９】
次のステップＳ１１は、コンテンツ仲介サーバ１０が、取得した作成者もしくは閲覧者に関する情報を記憶するステップである。上述したコンテンツ仲介システムにおいては、閲覧者を登録したときは、取得した閲覧者に関する情報は、コンテンツ仲介サーバ１０に備えられた仲介情報管理ＤＢ１９０の閲覧者テーブル１９１に記憶される。また、ブログ作成者を登録したときは、取得したブログ作成者に関する情報は、ブログ作成者テーブル１９２に記憶される。このステップをもって、ユーザ登録プロセスは終了する。
【０１２０】
図１２は、コンテンツ仲介プロセスの手順を示したフロー図である。このプロセスは、コンテンツ仲介サーバ１０がコンテンツを閲覧者に仲介し、コンテンツ仲介サーバ１０が、コンテンツのアクセス履歴情報や引用履歴情報を更新するプロセスである。
【０１２１】
このプロセスの最初のステップＳ２０は、コンテンツ仲介サーバ１０が、閲覧者がコンテンツ仲介サーバ１０に登録されていることを確認するために、閲覧者を認証するステップである。上述したコンテンツ仲介システムにおいては、閲覧者はコンテンツ仲介サーバ１０に閲覧者のＩＤとパスワードを入力することで、閲覧者は認証される。
【０１２２】
次のステップＳ２１は、コンテンツ仲介サーバ１０がインターネット９０上で公開されているコンテンツのリストを、閲覧者に提示するステップである。このコンテンツのリストには、少なくとも、コンテンツのタイトルとコンテンツを特定する情報（例えば、ＵＲＬ）が含まれる。
【０１２３】
上述したコンテンツ仲介システムにおいては、コンテンツをブログコンテンツとし、更新通知ｐｉｎｇサーバ２３が配信するブログコンテンツの更新情報から、このコンテンツのリストを作成しているが、例えば、コンテンツをＷｅｂページ全般とし、探索エンジンを使用し、閲覧者が指定するキーワードに基づく探索結果から、Ｗｅｂページのリストを作成してもよい。
【０１２４】
また、このリストには、上述したユーザ登録プロセスで記憶された作成者が公開しているコンテンツ以外のコンテンツを含んでいても構わない。ただし、登録されていない作成者が公開しているコンテンツを含む場合は、ユーザ登録プロセスで記憶された作成者が公開しているコンテンツと登録されていない作成者が公開しているコンテンツを区別して表示することが望ましい。
【０１２５】
次のステップＳ２２は、閲覧者がコンテンツを閲覧すると共に、コンテンツ仲介サーバ１０が、閲覧者が閲覧したコンテンツに関する履歴を更新するために必要な情報（閲覧情報もしくは引用実施情報）を取得するステップである。
【０１２６】
上述したコンテンツ仲介システムにおいては、コンテンツ仲介サーバ１０は、閲覧者が閲覧したコンテンツに関するアクセス履歴情報を更新するために、閲覧者が閲覧したコンテンツを特定する情報、閲覧者の個人情報の通知可否を制御する制御情報などを含む閲覧情報、もしくは、コンテンツの引用履歴情報を更新するために、閲覧者がコンテンツを引用したことを示す引用実施情報を取得する。
【０１２７】
次のステップＳ２３は、コンテンツ仲介サーバ１０が、取得した情報を確認するステップである。閲覧情報を取得した場合はアクセス履歴情報を更新するステップＳ２４に進み、引用実施情報を取得した場合は引用履歴情報を更新するステップＳ２７に進む。
【０１２８】
アクセス履歴情報を更新するステップＳ２４においては、閲覧情報に含まれる制御情報を確認する。制御情報が閲覧者の個人情報を通知する情報の場合はステップＳ２５に進み、通知しない情報の場合はステップＳ２６に進む。
【０１２９】
ステップＳ２５では、閲覧情報と閲覧者の個人情報とを用いてアクセス履歴情報が更新され（アクセス履歴情報に個人情報が記憶される）、ステップＳ２６では、閲覧情報のみを用いてアクセス履歴情報が更新される（アクセス履歴情報に個人情報が記憶されない）。アクセス履歴情報が更新された場合は、ステップＳ２５もしくはステップＳ２６をもって、このプロセスは終了する。
【０１３０】
ステップＳ２３において、引用履歴情報が更新される場合に実行されるステップＳ２７は、コンテンツ仲介サーバ１０は、引用実施情報を用いて、引用履歴情報を更新する。引用履歴情報が更新された場合は、このステップＳ２７をもって、このプロセスは終了する。
【０１３１】
図１３は、履歴情報提供プロセスの手順を示したフロー図である。履歴情報提供プロセスは、コンテンツ仲介サーバ１０に登録された作成者に対して、作成者のコンテンツのアクセス履歴情報もしくは引用履歴情報を提供するプロセスである。
【０１３２】
このプロセスの最初のステップＳ３０は、コンテンツ仲介サーバ１０が作成者を認証するステップである。上述したコンテンツ仲介システムにおいては、コンテンツ仲介サーバ１０は、作成者のＩＤとパスワードを用いて、作成者を認証する。また、他人のブログコンテンツの作成者に成りすますことを防止すべく、作成者のコンテンツも認証している。
【０１３３】
次のステップＳ３１は、コンテンツ仲介サーバ１０が、認証された作成者がアクセス履歴情報を要求する場合はアクセス履歴情報を、引用履歴情報を要求する場合は引用履歴情報を、認証された作成者に提供するステップである。上述したコンテンツ仲介システムにおいては、コンテンツ仲介サーバ１０は仲介情報管理ＤＢ１９０に記憶しているアクセス履歴情報または引用履歴情報から、作成者に提供する情報を生成し、生成した情報をブログ作成者ＰＣ２１に提供する。
【０１３４】
＜コンテンツ仲介システムの変形例１＞
図１４は、図１で示したコンテンツ仲介システムの変形例１を説明する図で、この変形例１は、図１のコンテンツ仲介サーバ１０が有していたコンテンツ閲覧エージェント１２０と更新情報収集エージェント１１０の機能を、閲覧者ＰＣ２２０にインストールされたアプリケーション２２０ａ（以下、閲覧アプリケーション）で実現した形態である。
【０１３５】
図１４で示したように、この形態においても、図１で示したコンテンツ仲介システムと同じく、コンテンツ仲介サーバ２１０、閲覧者ＰＣ２２０、ブログ作成者ＰＣ２２１、ブログサーバ２２２、更新通知ｐｉｎｇサーバ２２３がインターネット２９０に接続されている。
【０１３６】
この形態おいては、閲覧者が閲覧者ＰＣ２２０からコンテンツ仲介サーバ２１０にアクセスし、閲覧者として登録されると、コンテンツ仲介サーバから閲覧者ＰＣ２００に、閲覧アプリケーション２２０ａが送信され、閲覧者ＰＣ２２０にインストールされる。
【０１３７】
この形態においては、コンテンツ仲介サーバ２１０は、図２で示した更新情報を記憶する更新情報記憶部１８０を有さず、閲覧ＰＣ２２０にインストールされた閲覧アプリケーション２２０ａが更新通知ｐｉｎｇサーバ２２３にアクセスすることで、更新情報を収集する。
【０１３８】
閲覧者ＰＣ２２０にインストールされた閲覧アプリケーション２２０ａは、閲覧者が閲覧者ＰＣ２２０を操作することで起動する。閲覧アプリケーション２２０ａは起動すると、図６の入力欄３３ａに記述しているような画面を表示し、閲覧者から閲覧者ＩＤとパスワードを取得し、取得した閲覧者ＩＤとパスワードを、コンテンツ仲介サーバ２１０に送信することで閲覧者は認証される。
【０１３９】
閲覧アプリケーション２２０ａはコンテンツ仲介サーバ２１０から、閲覧者の認証に成功したことを意味する情報を受信すると、自動的に更新通知ｐｉｎｇサーバ２２３からブログコンテンツの更新情報を取得し、取得した更新情報に含まれるブログコンテンツの作者名やＵＲＬをコンテンツ仲介サーバ２１０に問い合わせることで、図６で示したブログコンテンツのリストを生成する。
【０１４０】
そして、このリストからブログコンテンツが選択されると、閲覧アプリケーション２２０ａは、前述した実施の形態で説明しているように、選択されたブログコンテンツの閲覧情報（制御情報も含む）や、引用実施情報などをコンテンツ仲介サーバ２１０に送信すると共に、ブログサーバ２２２にアクセスし、選択されたブログコンテンツを表示する。
【０１４１】
そして、コンテンツ仲介サーバ１０は、受信した情報に基づいて、仲介情報管理ＤＢ１９０のアクセス履歴テーブル１９３や引用履歴テーブル１９４を更新し、ブログ作成者の要求に従い、アクセス履歴情報や引用履歴情報をブログ作成者ＰＣ２２１に送信する。
【０１４２】
＜コンテンツ仲介システムの変形例２＞
図１５、図１でコンテンツ仲介システムの変形例２を説明する図で、この変形例２は、コンテンツ仲介サーバ３１０が作成した２次元バーコードを利用して、閲覧者にブログコンテンツを仲介する形態である。
【０１４３】
図１５は、ブログ作成者が２次元バーコードを利用する形態を説明する図である。なお、図１５においては、コンテンツ仲介サーバ３１０、作成者ＰＣ３２１およびブログサーバ３２２がインターネット３９０に接続され、閲覧者は情報端末として携帯電話３２０を所持し、携帯電話３２０は無線を利用してインターネット３９０に接続される。
【０１４４】
図１５に示したコンテンツ仲介サーバ３１０は、図示していないが、２次元バーコード情報を生成する手段を備えている。コンテンツ仲介サーバ３１０は、登録されたブログ作成者や登録された閲覧者の要求を受けて、コンテンツ仲介サーバ３１０に登録されたブログ作成者のブログコンテンツのＵＲＬなど記述した2次元バーコード情報３５０を、登録されたブログ作成者ＰＣ３２１、または、ブログコンテンツを引用する者のＰＣ（図示はしていない）に送信する。そして、２次元バーコード情報３５０が名刺３５１などに印刷されることで、コンテンツ仲介サーバ３１０は、閲覧者にコンテンツを仲介する。
【０１４５】
図１５に示しているように、閲覧者は情報端末として携帯電話３２０を所持し、携帯電話３２０には、２次元バーコード情報を読み取る手段と、変形例１で説明した閲覧アプリケーション３２０ａがインストールされている。
【０１４６】
閲覧者が携帯電話３２０で名刺などに印刷された２次元バーコード情報を読み取ると、携帯電話３２０にインストールされた閲覧アプリケーション３２０ａは、ブログコンテンツのリストを生成することなく、ブログサーバ３２２にアクセスし、２次元バーコード情報で示されるブログコンテンツを携帯電話３２０の画面に表示する共に、閲覧情報をコンテンツ仲介サーバ３１０に送信する。
【０１４７】
また、図１５に示したように、この２次元バーコード情報３５０を利用することで、閲覧者は、ブログコンテンツをインターネット以外の情報メディアで引用し、他の閲覧者に紹介することもできる。
【０１４８】
図１５においては、インターネット以外の情報メディアとして雑誌３５２でブログコンテンツを引用または紹介した者が、ブログコンテンツを引用または紹介した雑誌３５２に２次元バーコード情報３５０を印刷することで、引用または紹介されたブログコンテンツそのものが、雑誌３５２の読者に仲介される。
【０１４９】
なお、図１５においては、２次元バーコード情報３５０を利用して、ブログコンテンツを閲覧者に仲介しているが、２次元バーコード情報３５０は他の光学マーク情報であっても構わない。２次元バーコード情報３５０以外の光学マーク情報としては、１次元バーコード情報であってもよく、電子透かしのように画像情報に特定の情報を埋め込む技術を利用して埋め込まれた情報であってもよい。
【図面の簡単な説明】
【０１５０】
【図１】コンテンツ仲介システムを説明する図。
【図２】コンテンツ仲介サーバのブロック図。
【図３】仲介情報管理データベースの各テーブルを説明する図。
【図４】ユーザを登録するときに、最初に表示されるＷｅｂページを説明する図。
【図５】ユーザ登録ページを説明する図。
【図６】ブログ一覧ページを説明する図。
【図７】制御情報入力ページを説明する図。
【図８】引用実施情報入力ページを説明する図。
【図９】ブログ作成者に提供されるアクセス履歴情報および引用履歴情報を説明する図。
【図１０】コンテンツ仲介方法に含まれるプロセスを説明する図。
【図１１】ユーザ登録プロセスの手順を示したフロー図。
【図１２】コンテンツ仲介プロセスの手順を示したフロー図。
【図１３】履歴提供プロセスの手順を示したフロー図。
【図１４】コンテンツ仲介システムの変形例１を説明する図。
【図１５】コンテンツ仲介システムの変形例２を説明する図。
【符号の説明】
【０１５１】
１０  コンテンツ仲介サーバ
１１０  更新情報収集エージェント
１２０  コンテンツ閲覧エージェント
１２１  アクセス履歴更新エージェント
１２２  引用履歴更新エージェント
１３０  閲覧者認証エージェント
１４０  ユーザ登録エージェント
１５０  作成者認証エージェント
１６０  アクセス履歴提供エージェント
１７０  引用履歴提供エージェント
１８０  更新情報記憶部
１９０  仲介情報管理データベース
１９１  仲介情報管理データベースに記憶される閲覧者テーブル
１９２  仲介情報管理データベースに記憶されるブログ作成者テーブル
１９３  仲介情報管理データベースに記憶されるアクセス履歴テーブル
１９４  仲介情報管理データベースに記憶される引用履歴テーブル
２０  閲覧者ＰＣ
２１  ブログ作成者ＰＣ
２２  ブログサーバ
２３  更新通知ｐｉｎｇサーバ
【図１】
2006285405.tif 000003
【図２】
2006285405.tif 000004
【図３】
2006285405.tif 000005
【図４】
2006285405.tif 000006
【図５】
2006285405.tif 000007
【図６】
2006285405.tif 000008
【図７】
2006285405.tif 000009
【図８】
2006285405.tif 000010
【図９】
2006285405.tif 000011
【図１０】
2006285405.tif 000012
【図１１】
2006285405.tif 000013
【図１２】
2006285405.tif 000014
【図１３】
2006285405.tif 000015
【図１４】
2006285405.tif 000016
【図１５】
2006285405.tif 000017
【手続補正書】
【提出日】平成17年4月8日(2005.4.8)
【手続補正１】
【補正対象書類名】特許請求の範囲
【補正対象項目名】請求項５
【補正方法】変更
【補正の内容】
【請求項５】
請求項１から請求項４のいずれかに記載のコンテンツ仲介方法において、前記コンテンツ仲介方法は、前記閲覧者が前記アグリゲーション情報に含まれる前記コンテンツを引用したことを示す引用実施情報を前記第１の情報端末から取得し、前記コンテンツが引用された履歴を示す引用履歴情報を更新する第２のコンテンツ仲介プロセスと、前記コンテンツの前記引用履歴情報を、前記コンテンツの前記作成者が所持する前記第２の情報端末に提供する引用履歴提供プロセスを含み、
前記第２のコンテンツ仲介プロセスは、
前記コンテンツ仲介サーバもしくは前記第１の情報端末が、インターネット上の前記コンテンツをアグリゲートした情報である前記アグリゲーション情報を生成し、生成した前記アグリゲーション情報を、前記閲覧者が有する前記第１の情報端末に提示するステップ、
前記アグリゲーション情報で提示された前記コンテンツの中から前記閲覧者が引用した前記コンテンツを特定する情報と、前記コンテンツの引用目的とを含む引用実施情報を、前記コンテンツ仲介サーバが前記第１の情報端末から取得するステップ、
前記コンテンツ仲介サーバが、前記閲覧者の前記個人情報と取得した前記引用実施情報とを用い、前記閲覧者が引用した前記コンテンツの前記引用履歴情報を更新するステップ、
を順に実行するプロセスであることを特徴とするコンテンツ仲介方法。
【手続補正２】
【補正対象書類名】特許請求の範囲
【補正対象項目名】請求項７
【補正方法】変更
【補正の内容】
【請求項７】
請求項５または請求項６に記載のコンテンツ仲介方法において、前記第２のコンテンツ仲介プロセスで、前記作成者に前記引用履歴情報を提供するときに、前記コンテンツ仲介サーバは、前記作成者を認証し、認証に成功した前記作成者に対してのみ、前記引用履歴情報を提供することを特徴とするコンテンツ仲介方法。
【手続補正３】
【補正対象書類名】特許請求の範囲
【補正対象項目名】請求項９
【補正方法】変更
【補正の内容】
【請求項９】
請求項５から請求項８のいずれかに記載のコンテンツ仲介方法において、前記引用履歴提供プロセスは、前記コンテンツ仲介サーバが、前記引用履歴情報を更新するごとに、更新された前記引用履歴情報の内容を、前記引用履歴情報が更新された前記コンテンツの前記作成者が所持する前記第２の情報端末に配信するプロセスであることを特徴とするコンテンツ仲介方法。
【手続補正４】
【補正対象書類名】特許請求の範囲
【補正対象項目名】請求項１４
【補正方法】変更
【補正の内容】
【請求項１４】
請求項１２または請求項１３に記載のコンテンツ仲介システムにおいて、前記コンテンツ仲介サーバは、前記作成者を認証する作成者認証エージェントを備え、
前記アクセス履歴提供エージェントは、前記作成者に前記アクセス履歴情報を提供するときに、認証に成功した前記作成者に対してのみ、前記アクセス履歴情報の提供を許可することを特徴とするコンテンツ仲介システム。
【手続補正５】
【補正対象書類名】特許請求の範囲
【補正対象項目名】請求項１５
【補正方法】変更
【補正の内容】
【請求項１５】
請求項１２から請求項１４のいずれかに記載のコンテンツ仲介システムにおいて、前記コンテンツ仲介サーバに備えられた前記コンテンツ閲覧エージェントが、前記第１の情報端末に備えられていることを特徴とするコンテンツ仲介システム。
【手続補正６】
【補正対象書類名】特許請求の範囲
【補正対象項目名】請求項１６
【補正方法】変更
【補正の内容】
【請求項１６】
請求項１２から請求項１５のいずれかに記載のコンテンツ仲介システムにおいて、
前記コンテンツ仲介サーバに備えられた前記コンテンツ閲覧エージェントが、前記第１の情報端末から取得する前記閲覧情報には、前記閲覧者の個人情報を前記アクセス履歴情報に含ませることの可否を示す制御情報が含まれ、前記制御情報が前記閲覧者の個人情報を前記アクセス履歴情報に含ませないことを意味する場合は、
前記アクセス履歴更新エージェントは、前記閲覧情報で特定される前記コンテンツの前記アクセス履歴情報を更新するときに、認証された前記閲覧者の前記個人情報を用いないことを特徴とするコンテンツ仲介システム。
【手続補正７】
【補正対象書類名】明細書
【補正対象項目名】００１０
【補正方法】変更
【補正の内容】
【００１０】
また、ブログを閲覧する閲覧者からすると、自分と親しい人が作成しているブログに関しては、トラックバック機能やコメント入力機能以外で、ブログを閲覧した情報を、ブログの作成者に簡易的に通知したい場合もある。
【特許文献１】特開２００３-９１４７７号公報
【非特許文献１】下記ＵＲＬで記述されているドキュメント    （ＵＲＬ）http://www.sixapart.com/movabletype/docs/mtmanual#trackback.html
【手続補正８】
【補正対象書類名】明細書
【補正対象項目名】００１３
【補正方法】変更
【補正の内容】
【００１３】
第１の発明によれば、前記閲覧者の個人情報などの情報を記憶し、前記閲覧者に前記コンテンツを仲介する前記コンテンツ仲介サーバを設けることで、前記コンテンツの作成者からすると、自分が公開している前記コンテンツにアクセスした前記閲覧者の細かな個人情報を知ることができ、また、前記閲覧者からすると、前記コンテンツを閲覧したことを容易に、前記コンテンツの作成者へ通知することができる。なお、第１の発明において、前記情報端末とは、パーソナルコンピュータや携帯電話などを意味している。また、前記コンテンツを特定する情報とは、前記コンテンツのインターネット上の位置を示すＵＲＬ(Uniform Resource Locator)やＵＲＩ(Uniform Resource Identifier)を意味する。
【手続補正９】
【補正対象書類名】明細書
【補正対象項目名】００１９
【補正方法】変更
【補正の内容】
【００１９】
更に、第５の発明は、第１の発明から第４の発明のいずれかに記載のコンテンツ仲介方法において、前記コンテンツ仲介方法は、前記閲覧者が前記アグリゲーション情報に含まれる前記コンテンツを引用したことを示す引用実施情報を前記第１の情報端末から取得し、前記コンテンツが引用された履歴を示す引用履歴情報を更新する第２のコンテンツ仲介プロセスと、前記コンテンツの前記引用履歴情報を、前記コンテンツの前記作成者が所持する前記第２の情報端末に提供する引用履歴提供プロセスを含み、前記第２のコンテンツ仲介プロセスは、前記コンテンツ仲介サーバもしくは前記第１の情報端末が、インターネット上の前記コンテンツをアグリゲートした情報である前記アグリゲーション情報を生成し、生成した前記アグリゲーション情報を、前記閲覧者が有する前記第１の情報端末に提示するステップ、前記アグリゲーション情報で提示された前記コンテンツの中から前記閲覧者が引用した前記コンテンツを特定する情報と、前記コンテンツの引用目的とを含む引用実施情報を、前記コンテンツ仲介サーバが前記第１の情報端末から取得するステップ、前記コンテンツ仲介サーバが、前記閲覧者の前記個人情報と取得した前記引用実施情報とを用い、前記閲覧者が引用した前記コンテンツの前記引用履歴情報を更新するステップ、を順に実行するプロセスであることを特徴とするコンテンツ仲介方法である。
【手続補正１０】
【補正対象書類名】明細書
【補正対象項目名】００２２
【補正方法】変更
【補正の内容】
【００２２】
更に、第７の発明は、第５の発明または第６の発明に記載のコンテンツ仲介方法において、前記第２のコンテンツ仲介プロセスで、前記作成者に前記引用履歴情報を提供するときに、前記コンテンツ仲介サーバは、前記作成者を認証し、認証に成功した前記作成者に対してのみ、前記引用履歴情報を提供することを特徴とするコンテンツ仲介方法である。
【手続補正１１】
【補正対象書類名】明細書
【補正対象項目名】００２６
【補正方法】変更
【補正の内容】
【００２６】
更に、第９の発明は、第５の発明から第８の発明のいずれかに記載のコンテンツ仲介方法において、前記引用履歴提供プロセスは、前記コンテンツ仲介サーバが、前記引用履歴情報を更新するごとに、更新された前記引用履歴情報の内容を、前記引用履歴情報が更新された前記コンテンツの前記作成者が所持する前記第２の情報端末に配信するプロセスであることを特徴とするコンテンツ仲介方法である。
【手続補正１２】
【補正対象書類名】明細書
【補正対象項目名】００３４
【補正方法】変更
【補正の内容】
【００３４】
更に、第１４の発明は、第１２の発明または第１３の発明に記載のコンテンツ仲介システムにおいて、前記コンテンツ仲介サーバは、前記作成者を認証する作成者認証エージェントを備え、前記アクセス履歴提供エージェントは、前記作成者に前記アクセス履歴情報を提供するときに、認証に成功した前記作成者に対してのみ、前記アクセス履歴情報の提供を許可することを特徴とするコンテンツ仲介システムである。
【手続補正１３】
【補正対象書類名】明細書
【補正対象項目名】００３５
【補正方法】変更
【補正の内容】
【００３５】
更に、第１５の発明は、第１２の発明から第１４の発明のいずれかに記載のコンテンツ仲介システムにおいて、前記コンテンツ仲介サーバに備えられた前記コンテンツ閲覧エージェントが、前記第１の情報端末に備えられていることを特徴とするコンテンツ仲介システムである。
【手続補正１４】
【補正対象書類名】明細書
【補正対象項目名】００３６
【補正方法】変更
【補正の内容】
【００３６】
更に、第１６の発明は、第１２の発明から第１５の発明のいずれかに記載のコンテンツ仲介システムにおいて、前記コンテンツ仲介サーバに備えられた前記コンテンツ閲覧エージェントが、前記第１の情報端末から取得する前記閲覧情報には、前記閲覧者の個人情報を前記アクセス履歴情報に含ませることの可否を示す制御情報が含まれ、前記制御情報が前記閲覧者の個人情報を前記アクセス履歴情報に含ませないことを意味する場合は、前記アクセス履歴更新エージェントは、前記閲覧情報で特定される前記コンテンツの前記アクセス履歴情報を更新するときに、認証された前記閲覧者の前記個人情報を用いないことを特徴とするコンテンツ仲介システムである。
【手続補正１５】
【補正対象書類名】明細書
【補正対象項目名】００４９
【補正方法】変更
【補正の内容】
【００４９】
なお、本発明は、解決する手段に記載した範囲内で種々変更・応用が可能である。
【手続補正１６】
【補正対象書類名】明細書
【補正対象項目名】００６６
【補正方法】変更
【補正の内容】
【００６６】
図３（ａ）、（ｂ）、（ｃ）および（ｄ）は、仲介情報管理ＤＢ１９０が有する各テーブルを説明する図である。図３（ａ）は閲覧者テーブル１９１を説明する図で、後述するユーザ登録エージェント１４０が取得する閲覧者に関する情報、すなわち、閲覧者を識別する情報である閲覧者ＩＤや、閲覧者を認証する情報である閲覧者のパスワードや、閲覧者の個人情報として氏名、性別、年齢、居住地、趣味および閲覧者の連絡先などが閲覧者テーブル１９１に記憶される。
【手続補正１７】
【補正対象書類名】明細書
【補正対象項目名】００７８
【補正方法】変更
【補正の内容】
【００７８】
ユーザ登録エージェント１４０は、図４のＷｅｂページ３０で閲覧者が選択され、登録ボタン３０ｂがクリックされた場合は、閲覧者登録用のユーザ登録ページをユーザのＰＣに送信し、ブログ作成者が選択され、登録ボタン３０ｂがクリックされた場合は、ブログ作成者用のユーザ登録ページをユーザのＰＣに送信する。
【手続補正１８】
【補正対象書類名】明細書
【補正対象項目名】００９７
【補正方法】変更
【補正の内容】
【００９７】
図６は、コンテンツ閲覧エージェント１２０が閲覧者ＰＣ２０に送信するブログ一覧ページの一例である。図６に示したように、このブログ一覧ページ３３の左側には閲覧者が、閲覧者ＩＤとパスワードを入力する入力欄３３ａが設けられ、この入力欄３３ａに入力された情報を用いて閲覧者の認証に成功すると、図６の右側で示したブログコンテンツのリスト３３ｂが表示される。なお、入力欄３３ａの下の登録ボタン３３ｃをクリックすると、図４のＷｅｂページ３０が表示される。
【手続補正１９】
【補正対象書類名】明細書
【補正対象項目名】０１００
【補正方法】変更
【補正の内容】
【０１００】
そして、図７の制御情報入力ページ３４の通知ボタン３３ａもしくは非通知ボタン３３ｂがクリックされると、ブログサーバ２２に記憶され、ブログタイトルで示されるブログコンテンツが表示され、コンテンツ閲覧エージェント１２０は、ブログコンテンツの閲覧情報を取得し、アクセス履歴更新エージェント１２１は、閲覧日時、閲覧者の個人情報などを仲介情報管理ＤＢ１９０のアクセス履歴テーブル１９３に追記する。
【手続補正２０】
【補正対象書類名】明細書
【補正対象項目名】０１０２
【補正方法】変更
【補正の内容】
【０１０２】
そして、図８の送信ボタン３５ｃがクリックされることで、コンテンツ閲覧エージェント１２０は閲覧者がブログコンテンツを引用した引用実施情報を取得し、引用履歴更新エージェント１２２は閲覧者がブログコンテンツを引用した日時、引用目的、引用形態、閲覧者の連絡先などの情報を、仲介情報管理ＤＢ１９０の引用履歴テーブル１９４に追記する。
【手続補正２１】
【補正対象書類名】明細書
【補正対象項目名】０１０８
【補正方法】変更
【補正の内容】
【０１０８】
本実施の形態においては、アクセス履歴提供エージェント１６０（もしくは引用履歴提供エージェント１７０）は、ブログ作成者からコンテンツ仲介サーバ１０にアクセス履歴情報（引用履歴提供エージェントの場合は引用履歴情報）の配信を要求するアクセスがあると、アクセス履歴提供エージェント１６０（もしくは引用履歴提供エージェント１７０）は、上述した作成者認証エージェント１５０とを用いて、アクセスしたブログ作成者が認証されていることを確認する。
【手続補正２２】
【補正対象書類名】明細書
【補正対象項目名】０１０９
【補正方法】変更
【補正の内容】
【０１０９】
ブログ作成者の認証に成功していれば、アクセス履歴提供エージェント１６０（もしくは引用履歴提供エージェント１７０）は、認証されたブログ作成者のブログコンテンツを認証する。ブログ作成者のブログコンテンツをアクセス履歴提供エージェント１６０（もしくは引用履歴提供エージェント１７０）が認証するのは、ブログ作成者の成りすましにより、不正に他人のブログコンテンツのアクセス履歴情報（引用履歴提供エージェント１７０の場合は引用履歴情報）を取得することを防ぐためである。本実施の形態においては、ブログコンテンツの認証には、ユーザ登録エージェント１４０が生成し、ブログ作成者に送信したコンテンツ認証情報が使用される。
【手続補正２３】
【補正対象書類名】明細書
【補正対象項目名】０１１０
【補正方法】変更
【補正の内容】
【０１１０】
ブログコンテンツを作成・更新できるのはブログ作成者のみであるため、コンテンツ認証情報がブログコンテンツのヘッダ情報などに記述されていれば、アクセス履歴情報（もしくは引用履歴情報）を送信するブログ作成者は間違いなく、ブログコンテンツの作成者であると認証できる。
【手続補正２４】
【補正対象書類名】明細書
【補正対象項目名】０１１１
【補正方法】変更
【補正の内容】
【０１１１】
そして、アクセス履歴提供エージェント１６０（もしくは引用履歴提供エージェント１７０）は、ブログ作成者及びブログコンテンツの認証に成功すると、ブログ作成者の要求（例えば、期間指定など）に従い、仲介情報管理ＤＢ１９０のアクセス履歴テーブル１９３（引用履歴提供エージェント１７０の場合は引用履歴テーブル１９４）に記憶されたアクセス履歴情報（引用履歴提供エージェント１７０の場合は引用履歴情報）をブログ作成者に提供する。
【手続補正２５】
【補正対象書類名】明細書
【補正対象項目名】０１２４
【補正方法】変更
【補正の内容】
【０１２４】
また、このリストには、上述したユーザ登録プロセスで記憶された作成者が公開しているコンテンツ以外のコンテンツを含んでいても構わない。ただし、登録されていない作成者が公開しているコンテンツを含む場合は、ユーザ登録プロセスで登録された作成者が公開しているコンテンツと登録されていない作成者が公開しているコンテンツを区別して表示することが望ましい。